(57)【要約】  本発明は、所要通信品質をエンドツーエンドで満足することが可能な無線端末に対する無線リソース制御を実現する。コンテンツ送信装置と無線基地局との間の通信経路上に設置された中継装置は、コンテンツ送信装置と無線端末との間の通信に関わる通信品質を評価し、前記通信品質を基に前記無線端末に対する無線リソースの割り当てを制御するための制御情報を生成し、前記無線基地局は前記制御情報に基づいて前記無線端末に対する無線リソースの割り当てを制御する。
2016093166.tif 000002
【特許請求の範囲】
【請求項１】
コンテンツ送信装置と、
無線端末と、
前記コンテンツ送信装置から送信されたデータを受信して前記無線端末へと無線伝送する無線基地局と、
前記コンテンツ送信装置と前記無線基地局との間の通信経路上に設置された中継装置と、
を含み、
前記中継装置は、
前記コンテンツ送信装置と前記無線端末との間の通信に関わる通信品質を評価する通信品質評価部と、
前記通信品質をもとに、前記無線端末に対する無線リソースの割り当てを制御するための制御情報を生成する制御情報生成部と、
を備え、
前記無線基地局は、
前記制御情報に基づいて、前記無線端末に対する無線リソースの割り当てを制御する無線リソース制御部を備える、ことを特徴とする無線リソース制御システム。
【請求項２】
前記中継装置又は前記無線基地局は、
前記コンテンツ送信装置と前記無線端末との間でなされる通信の種別を特定する通信種別特定部をさらに備え、
前記通信の種別に応じた基準で前記通信品質を評価した結果に基づき、前記無線リソース制御部は、前記無線端末に対する無線リソースの割り当てを制御する、ことを特徴とする請求項１に記載の無線リソース制御システム。
【請求項３】
前記無線リソース制御部は、
前記通信の種別によって定まる要求品質と前記通信品質との比較の結果に応じて、前記無線基地局が有する無線リソースの割り当てを制御する、ことを特徴とする請求項２に記載の無線リソース制御システム。
【請求項４】
前記無線基地局は、
前記通信の種別によって定まる要求品質と前記通信品質との比較の結果に応じて、前記無線基地局が管理する無線セルのカバレッジを制御するカバレッジ制御部を備えた、ことを特徴とする請求項２に記載の無線リソース制御システム。
【請求項５】
前記無線基地局は、
前記通信の種別によって定まる要求品質と前記通信品質との比較の結果に応じて、前記無線端末に対して、前記無線端末が使用する無線システムの切り替えを指示する無線システム切り替え指示部を備えた、ことを特徴とする請求項２に記載の無線リソース制御システム。
【請求項６】
前記通信品質評価部は、
前記通信品質を、
前記中継装置と前記無線端末との間の第一の通信品質と、
前記コンテンツ送信装置と前記中継装置との間の第二の通信品質と、
前記無線基地局と前記コンテンツ送信装置との間の通信経路の一部を少なくとも含む通信経路の通信品質と、
の少なくともいずれかを用いて、評価する、ことを特徴とする請求項１から５のいずれか１項に記載の無線リソース制御システム。
【請求項７】
前記通信品質評価部は、
前記通信品質を、
前記第一の通信品質および前記第二の通信品質の両方を用いて、前記コンテンツ送信装置と前記無線端末との間の第三の通信品質を算出して評価する、ことを特徴とする請求項６に記載の無線リソース制御システム。
【請求項８】
前記無線リソース制御部は、
前記制御情報を用いて、前記無線基地局と前記無線端末との間の第四の通信品質の目標値を更新する、ことを特徴とする請求項１から７のいずれか１項に記載の無線リソース制御システム。
【請求項９】
前記制御情報は、
前記通信品質を示す情報、
前記通信の種別によって定まる要求品質と前記通信品質との比較の結果を示す情報、
前記第四の通信品質の目標値を示す情報、
前記無線端末やベアラの識別子を示す情報、
前記無線リソースの割り当て優先度を示す情報、
前記無線基地局が管理する無線セルのカバレッジ変更を指示する情報、
無線システムの切り替えを前記無線端末に対して指示する情報、
の少なくともいずれかを含む、ことを特徴とする請求項８に記載の無線リソース制御システム。
【請求項１０】
無線基地局を介して無線端末にコンテンツを送信するコンテンツ送信装置と、前記無線基地局との間の通信経路上に設置される中継装置であって、
前記コンテンツ送信装置と前記無線端末との間の通信に関わる通信品質を評価する通信品質評価部と、
前記通信品質をもとに、前記無線基地局における前記無線端末に対する無線リソースの割り当てを制御するための制御情報を生成する制御情報生成部と、
前記制御情報を前記無線基地局に通知する通信部と、
を備えたことを特徴とする中継装置。
【請求項１１】
前記通信品質評価部は、
前記通信品質を、前記中継装置と前記無線端末との間の第一の通信品質と、
前記コンテンツ送信装置と前記中継装置との間の第二の通信品質と、
前記無線基地局と前記コンテンツ送信装置との間の通信経路の一部を少なくとも含む通信経路の通信品質と、
の少なくともいずれかを用いて、評価する、ことを特徴とする請求項１０に記載の中継装置。
【請求項１２】
コンテンツ送信装置から送信されたデータを無線端末に無線伝送する無線基地局であって、
前記コンテンツ送信装置と前記無線基地局との間の通信経路上に設置された中継装置から、前記コンテンツ送信装置と前記無線端末との間の通信に関わる通信品質の評価結果に基づく制御情報を受け、前記制御情報に基づいて、前記無線端末に対する無線リソースの割り当てを制御する無線リソース制御部を備えた、ことを特徴とする無線基地局。
【請求項１３】
無線基地局を介して無線端末にコンテンツを送信するコンテンツ送信装置と前記無線基地局との間の通信経路上に設置された中継装置にて、
前記コンテンツ送信装置と前記無線端末との間の通信に関わる通信品質を評価し、
前記通信品質をもとに、前記無線端末に対する無線リソースの割り当てを制御するための制御情報を生成して前記無線基地局に通知し、
前記無線基地局では、前記制御情報に基づいて、前記無線端末に対する無線リソースの割り当てを制御する、ことを特徴とする無線リソース制御方法。
【請求項１４】
無線基地局を介して無線端末にコンテンツを送信するコンテンツ送信装置と前記無線基地局との間の通信経路上に設置される中継装置を構成するコンピュータに、
前記コンテンツ送信装置と前記無線端末との間の通信に関わる通信品質を評価する通信品質評価処理と、
前記通信品質をもとに、前記無線基地局における前記無線端末に対する無線リソースの割り当てを制御するための制御情報を生成する制御情報生成処理と、
を実行させるプログラム。
【請求項１５】
無線基地局を構成するコンピュータに、
前記無線基地局を介して無線端末にコンテンツを送信するコンテンツ送信装置と前記無線端末との間の通信に関わる通信品質の評価結果に基づく制御情報を受け、前記制御情報に基づいて、前記無線端末に対する無線リソースの割り当てを制御する処理を実行させる、プログラム。
【発明の詳細な説明】
【技術分野】
【０００１】
（関連出願についての記載）
本発明は、日本国特許出願：特願２０１４−２４７９７５号（２０１４年１２月８日出願）の優先権主張に基づくものであり、同出願の全記載内容は引用をもって本書に組み込み記載されているものとする。
本発明は、無線リソース制御システム、無線基地局、中継装置、無線リソース制御方法、およびプログラムに関する。
【背景技術】
【０００２】
スマートフォンやタブレット端末の普及に伴って、無線通信のトラフィック量が急増している。このため、高速・大容量化を実現するＬＴＥ（Long Term Evolution）通信の普及や、更なる高速化に対応したLTE-Advanced（ＬＴＥ−Ａ）の導入が進んでいる。ＬＴＥ／ＬＴＥ−Ａのモバイルネットワークは、モバイルアクセスネットワーク（ｅＵＴＲＡＮ（Evolved Universal Terrestrial Radio Access Network））とモバイルコアネットワーク（ＥＰＣ（Evolved Packet Core））とで構成される。【０００３】
ｅＵＴＲＡＮは、無線基地局（ｅＮＢ(evolved Node B)）と無線端末（ＵＥ(User Equipment)）とで構成される。【０００４】
ＥＰＣは、インターネットなどの外部ネットワークに接続するためのＰ−ＧＷ（PDN(Packet Data Network) Gateway）や、ユーザデータのＵ−ｐｌａｎｅ(User plane)を扱うＳ−ＧＷ（Serving Gateway）などから構成される。【０００５】
ＬＴＥ／ＬＴＥ−Ａのモバイルネットワークでは、周波数の利用効率向上などの観点から、柔軟に帯域を割り当て可能なパケット交換方式が用いられる。ＬＴＥ／ＬＴＥ−Ａでは、音声通信もＶｏＩＰ（Voice over IP（Internet Protocol））としてパケット化される。【０００６】
無線端末に対して各種通信サービスを提供するコンテンツ送信装置から送信されたパケットは、一般的にインターネット網を経由してモバイルコアネットワークへと到達し、モバイルアクセスネットワークを介して無線端末へ送信される。コンテンツ送信装置の例として、例えば、ＷＷＷ（World Wide Web）サーバ、ＦＴＰ（File Transfer Protocol）サーバ、メールサーバ、ファイルサーバ、データベースサーバ、アプリケーションサーバ、ストリーミングサーバ、ＤＮＳ（Domain Name System）サーバなどのうち少なくとも１つが含まれる。また、ある無線端末にとってのコンテンツ送信装置には、当該無線端末とは異なる無線端末も含まれ得る。【０００７】
ネットワークのサービス品質（ＱｏＳ(Quality of Service))を制御する仕組みはＱｏＳ制御と呼ばれる。ＬＴＥでは、ＱｏＳを管理するパラメータとしてＱＣＩ（QoS Class Identifier)がサービスタイプ毎に９段階規定されている。ＱＣＩによって、例えば、帯域保証の有無（ＧＢＲ（Guaranteed Bit Rate：帯域保証）またはＮｏｎ−ＧＢＲ（非帯域保証））や、優先度（Priority）、遅延許容時間（ＰＤＢ（Packet Delay Budget)）、パケットロス率などを規定できる。ＬＴＥでは、Ｓ−ＧＷ、Ｐ−ＧＷ、無線基地局（eNodeB）は、ＰＣＲＦ（Policy and Charging Rules Function：ベアラに対するＱＣＩ値の決定、パケットの透過や破棄のポリシー、課金制御を行う）から通知されたＱＣＩ値にしたがってＱｏＳ制御を行う。【０００８】
ＬＴＥのモバイルネットワークでは、無線端末毎、及びＱＣＩ毎にベアラが設定される。具体的には、ＬＴＥのモバイルネットワークで設定されるＥＰＳ（Evolved Packet System）ベアラには、無線アクセスベアラ（e-RAB（E-UTRAN Radio Access Bearer）)と、Ｓ５／Ｓ８ベアラとが含まれる。ここで、無線アクセスベアラ（e-RAB）は、無線端末（ＵＥ）と無線基地局（eNodeB）との間に設定される無線ベアラと、無線基地局（eNodeB）とＳ−ＧＷとの間に設定されるＳ１ベアラとからなる。また、Ｓ５／Ｓ８ベアラは、Ｐ−ＧＷとＳ−ＧＷの間に設定され、例えばＧＴＰ（GPRS(General Packet Radio Service) Tunneling Protocol）トンネルを有する。【０００９】
無線基地局のスケジューラは、ベアラ毎のＱＣＩを考慮して、各無線端末または各ベアラへの無線リソースの割り当てを制御する（非特許文献１）。具体的には、無線基地局のスケジューラは、どの無線端末あるいはどのベアラに対して、いつ、どのくらいの量の無線リソースを割り当てるかを決定する。無線リソースとしては、例えば、周波数リソース、時間リソース、物理リソースブロック（Physical Resource Block）、送信電力、コンポーネントキャリア（Component Carrier）などが挙げられる。【００１０】
図１に、ＬＴＥにおけるＱＣＩを規定した表を示す（非特許文献１の"Table 6.1.7: Standardized QCI characteristics"参照）。図１を参照すると、サービスタイプとして、ＱＣＩ＝１はConversational Voice（音声）が、ＱＣＩ＝８はVideo、ＴＣＰ（Transmission Control Protocol）-basedなどが例示されている。例えば、第１無線端末がＱＣＩ＝１のパケットの受信を待っており、第２無線端末が優先度の低いＱＣＩ＝８のパケットの受信を待っている場合、無線基地局は、ＱＣＩを考慮して、優先度の高いパケットを待っている第１無線端末からパケットを送信することができる。【００１１】
特許文献１に開示された方法によれば、無線基地局は、モバイルコアネットワークから到着したパケットのトラフィック種別を識別し、識別されたトラフィック種別に応じた許容遅延量や目標伝送レートを設定する。そして、無線基地局は、当該許容遅延量や当該目標伝送レートを満足するように、各パケットに対する無線リソースの割り当てを制御する。例えば、無線基地局にて測定された特定の通信の伝送レートが、当該通信のトラフィック種別によって規定される目標伝送レートに満たない場合には、当該通信に対する無線リソースの割り当て優先度が増加される。【００１２】
特許文献２には、通信方式が異なる複数の移動通信システムそれぞれへの無線リソース割り当て量の動的な変更を可能にした構成が開示されている。特許文献２によれば、網側の既存方式基地局制御装置、新方式無線基地局装置におけるアプリケーションの大幅な改造は必要ないことが記載されている。また、特許文献３には、無線基地局に通信種別情報取得部を設けた構成が開示されている。通信種別情報取得部は、各無線端末との通信の種別を認識して通信種別情報を取得し、その通信種別情報を無線基地局の制御部に供給する。この通信種別情報取得部において、通信種別情報を、例えば音声通信やストリーミングなどのリアルタイム性が求められる通信種別（Ｔ１）と、それ以外のブラウジングなどのデータ通信の通信種別（Ｔ２）とに分類して、無線基地局の制御部に供給する。無線基地局の制御部は、所定タイミング毎に、無線基地局の伝播損失測定部で測定された伝播損失、無線基地局の差分情報取得部で取得された差分情報、無線基地局の移動速度取得部、および無線基地局の通信種別情報取得部で取得された通信種別情報に基づいて、複数の無線端末に対する無線リソースブロックの割り当てを制御（スケジューリング）し、その結果を、無線基地局の無線通信部を介して対応する無線端末に送信する。【００１３】
非特許文献２に開示された方法によれば、サーバが、無線端末（LYNC Client）から、ユーザ体感品質（ＱｏＥ（Quality of Experience））に関する情報を取得し、取得したＱｏＥに関する情報を用いて、ネットワークコントローラ（NETWORK CONTROLLER）がWi-Fi（Wireless Fidelity：Wi-Fi Allianceの登録商標）のアクセスポイント（Access Point：ＡＰ）を制御する。【００１４】
以降の説明においては、パケット遅延やパケットロス率などのサービス品質（ＱｏＳ）と、ユーザが実際に体感する品質を示すユーザ体感品質（ＱｏＥ）とを総称して、単に、「通信品質」と呼称する。
【先行技術文献】
【特許文献】
【００１５】
【特許文献１】特許第４３３５６１９号
【特許文献２】特開２０１２−００５０５９号公報
【特許文献３】特開２０１１−０９７２８６号公報
【非特許文献】
【００１６】
【非特許文献１】3GPP(Third Generation Partnership Project) TS23.203 v11.13.0(2014-03), Policy and charging control architecture, p.38
【非特許文献２】Aruba NETWROKS Inc., SOLUTION GUIDE DEPLOYING ARUBA WIRELESS CONTROLLERS WITH MICROSOFT LYNC SDN API、pp．4-5、［平成２６年９月２５日検索］、インターネット〈URL：http://www.indabook.org/get/qeAlKdeqrrgMtyBxl6Iy8Vu5Zxc-ZkT8PmaTKrQLBFI,/solution-guiDe-Deploying-ArubA-Wireless-Controllers.pdf〉
【発明の開示】
【発明が解決しようとする課題】
【００１７】
以下に関連技術の分析を与える。【００１８】
無線基地局と無線端末との間のモバイルアクセスネットワークの通信品質と、コンテンツ送信装置と該無線端末との間（すなわち、エンドツーエンド）の通信品質には乖離がある。すなわち、コンテンツ送信装置と無線端末との間を流れるパケットは、一般的に複数のネットワークを経由する。このため、一部のネットワークでの通信品質の劣化が、該無線端末のユーザ体感品質に影響を与える。従って、無線基地局と無線端末との間という限られた区間の通信品質を評価するだけでは、エンドツーエンドの通信品質を正しく評価することができない。【００１９】
このため、トラフィック種別やＱＣＩに応じた基準で通信品質を評価して無線リソースの割り当てを制御したとしても、無線基地局と無線端末との間の通信品質を評価する方式（例えば特許文献１）では、エンドツーエンドの要求品質は満たされない可能性がある。【００２０】
エンドツーエンドの通信品質に基づき、無線リソースの割り当てを制御する方法としては、無線端末やコンテンツ送信装置から、エンドツーエンドの通信品質を取得する方法がある（例えば、非特許文献２）。【００２１】
しかしながら、このような方法によって非標準的な情報を取得する場合には、無線端末やコンテンツ送信装置に対して、ソフトウェア的あるいはハードウェア的な改造が必要となる。このため、導入コストがかかる。【００２２】
さらに、非特許文献２のように、無線端末から情報を取得する場合、無線区間のシグナリング負荷の増加や、無線端末のバッテリー消費の増加が懸念される。【００２３】
したがって、本発明は上記課題を鑑みてなされたものであって、その主たる目的は、所要通信品質をエンドツーエンドで満足することが可能な無線端末に対する無線リソース制御を実現するシステム、方法、装置、及びプログラムを提供することにある。
【課題を解決するための手段】
【００２４】
本発明の１つの側面によれば、コンテンツ送信装置と、無線端末と、前記コンテンツ送信装置から送信されたデータを受信して前記無線端末へと無線伝送する無線基地局と、前記コンテンツ送信装置と前記無線基地局との間の通信経路上に設置された中継装置と、を含み、前記中継装置は、前記コンテンツ送信装置と前記無線端末との間の通信に関わる通信品質を評価する通信品質評価部と、前記通信品質をもとに、前記無線端末に対する無線リソースの割り当てを制御するための制御情報を生成する制御情報生成部と、を備え、前記無線基地局は、前記制御情報に基づいて、前記無線端末に対する無線リソースの割り当てを制御する無線リソース制御部を備える無線リソース制御システムが提供される。【００２５】
本発明の別の側面によれば、無線基地局を介して無線端末にコンテンツを送信するコンテンツ送信装置と、前記無線基地局との間の通信経路上に設置される中継装置であって、前記コンテンツ送信装置と前記無線端末との間の通信に関わる通信品質を評価する通信品質評価部と、前記通信品質をもとに、前記無線基地局における前記無線端末に対する無線リソースの割り当てを制御するための制御情報を生成する制御情報生成部と、前記制御情報を前記無線基地局に通知する通信部と、を備えた中継装置が提供される。【００２６】
本発明のさらに別の側面によれば、コンテンツ送信装置から送信されたデータを無線端末に無線送信する無線基地局であって、前記コンテンツ送信装置と前記無線基地局との間の通信経路上に設置された中継装置から、前記コンテンツ送信装置と前記無線端末との間の通信に関わる通信品質の評価結果に基づく制御情報を受け、前記制御情報に基づいて、前記無線端末に対する無線リソースの割り当てを制御する無線リソース制御部を備えた無線基地局が提供される。【００２７】
本発明のさらにまた別の側面によれば、無線基地局を介して無線端末にコンテンツを送信するコンテンツ送信装置と前記無線基地局との間の通信経路上に設置された中継装置にて、
前記コンテンツ送信装置と前記無線端末との間の通信に関わる通信品質を評価し、
前記通信品質をもとに、前記無線端末に対する無線リソースの割り当てを制御するための制御情報を生成して前記無線基地局に通知し、
前記無線基地局では、前記制御情報に基づいて、前記無線端末に対する無線リソースの割り当てを制御する、無線リソース制御方法が提供される。【００２８】
本発明のさらにまた別の側面によれば、無線基地局を介して無線端末にコンテンツを送信するコンテンツ送信装置と無線基地局との間の通信経路上に設置される中継装置を構成するコンピュータに、
前記コンテンツ送信装置と前記無線端末との間の通信に関わる通信品質を評価する通信品質評価処理と、
前記通信品質をもとに、前記無線基地局における前記無線端末に対する無線リソースの割り当てを制御するための制御情報を生成する制御情報生成処理と、
を実行させるプログラムが提供される。【００２９】
本発明のさらにまた別の側面によれば、無線基地局を構成するコンピュータに、
前記無線基地局を介して無線端末にコンテンツを送信するコンテンツ送信装置と前記無線端末との間の通信に関わる通信品質の評価結果に基づく制御情報を受け、前記制御情報に基づいて、前記無線端末に対する無線リソースの割り当てを制御する処理を実行させる、プログラムが提供される。【００３０】
本発明のさらにまた別の側面によれば、上記各側面に係るプログラムを記憶したコンピュータ読み出し可能な記録媒体（non-transitory computer-readable recording medium：半導体メモリや磁気／光記憶媒体など）が提供される。
【発明の効果】
【００３１】
本発明によれば、所要通信品質をエンドツーエンドで満足するように、無線端末に対する無線リソース制御を実現することが可能となる。  
【図面の簡単な説明】
【００３２】
【図１】ＬＴＥにおけるＱＣＩの規定一覧を表形式で例示する図である。
【図２】本発明の実施の形態に共通のシステムの構成を例示する図である。
【図３】本発明の第１の実施の形態における無線基地局と中継装置の構成を例示する図である。
【図４】本発明の第２の実施の形態における無線基地局と中継装置の構成を例示する図である。
【図５】本発明の第２の実施の形態の動作を例示する流れ図である。
【図６】本発明の第３の実施の形態における無線基地局と中継装置の構成を例示する図である。
【図７】本発明の第３の実施の形態の動作を例示する流れ図である。
【図８】本発明の第４の実施の形態における無線基地局と中継装置の構成を例示する図である。
【図９】本発明の第４の実施の形態の動作を例示する流れ図である。
【発明を実施するための形態】
【００３３】
本発明の例示的な実施の形態について図面を参照して詳細に説明する。各図面において、同一または対応する要素には同一の符号が付されており、重複説明は適宜省略される。
【００３４】
＜実施の形態＞
［システム構成の説明］
図２は、本発明の各実施の形態に共通の無線リソース制御システム１の構成例を模式的に示す図である。図２を参照すると、無線リソース制御システム１は、コンテンツ送信装置１０、無線基地局２０、無線端末３０、中継装置４０を含む。
【００３５】
コンテンツ送信装置１０は、無線端末３０に対して、各種通信サービスを提供する装置である。コンテンツ送信装置１０は、例えばＷＷＷ（World Wide Web）サーバ、ＦＴＰ（File Transfer Protocol）サーバ、メールサーバ、ファイルサーバ、データベースサーバ、アプリケーションサーバ、ストリーミングサーバ、ＤＮＳ（Domain Name System）サーバなどであってもよい。また、無線端末３０が他の無線端末（不図示）に対してコンテンツ送信などを行う場合、無線端末３０自身も、他の無線通信にとってコンテンツ送信装置になり得る。
【００３６】
無線基地局２０は、自身と無線通信が可能な範囲（領域）である無線セル（不図示）を形成する。無線基地局２０は、自身が管理する無線セルに接続する無線端末３０との間で、双方向の無線通信を行う。例えば１乃至６程度の無線セルが一つの無線基地局２０によって管理される。無線基地局２０は、モバイルコアネットワークとモバイルアクセスネットワークとの間のトラフィックを中継する。なお、無線基地局２０は、広域なエリアをカバーするマクロ無線基地局、比較的狭いエリアをカバーするマイクロ無線基地局およびピコ無線基地局、屋内向け小型無線基地局であるフェムト無線基地局、および無線信号を中継するリレー基地局などのうちのいずれかであってよい。
【００３７】
無線端末３０は、モバイルネットワークに無線接続する機能を有する端末である。無線端末３０は、フィーチャーフォン、スマートフォン、タブレット端末、ノート型パソコン（Laptop Computer）、各種センシングデバイスやマシン通信（Machine Type Communication: MTC）デバイスなどのうちのいずれかであってよい。また、無線端末３０が利用可能な無線システムは必ずしも一つとは限らず、複数の無線システムをサポートしていても良い。例えば、無線端末３０は、ＬＴＥ、ＬＴＥ−Ａｄｖａｎｃｅｄ、ＵＭＴＳ（Universal Mobile Telecommunications System）、ＧＳＭ（Global System for Mobile communications、GSMはGSM MOU Associationの登録商標）、Ｗｉ-Ｆｉ（Wireless Fidelity：WiFiはWi-Fi Allianceの登録商標）、無線ＬＡＮ（Local Area Network）、ＷｉＭＡＸ（Worldwide Interoperability for Microwave Access）、ＣＤＭＡ（Code Division Multiple Access）２０００（CDMA2000はTIA（Telecommunications Industry Association）の登録商標）、ＨＳＰＡ（High Speed Packet Access）などの無線システム（ＲＡＴ（Radio Access Technology））のうち複数の無線システムをサポートしていても良い。
【００３８】
中継装置４０は、コンテンツ送信装置１０と無線基地局２０との間の通信経路上に設置される。中継装置４０は、コンテンツ送信装置１０および無線基地局２０との間のトラフィックを中継する機能を有する。中継装置４０は、モバイルコアネットワークと外部ネットワーク（例えば、インターネット）のどちらに設置してもよい。
【００３９】
中継装置４０をモバイルコアネットワークに設置する場合、モバイルコアネットワークの他の装置の一部として機能配置しても良いし、あるいは独立した装置（単体）として設置しても良い。例えば、中継装置４０を、ＬＴＥのモバイルコアネットワークに設置する場合、Ｐ−ＧＷや、Ｓ−ＧＷを中継装置４０としても良い（すなわちＰ−ＧＷや、Ｓ−ＧＷに中継装置４０の機能を実装してもよい）。また、別の例として、トラフィックの流量を制御するトラフィック制御装置がモバイルコアネットワーク内などに設置されている場合には、該トラフィック制御装置を、中継装置４０としても良い。
【００４０】
なお、中継装置４０と無線基地局２０とは直接的に接続される必要はなく、中継装置４０は、不図示の他の中継装置やネットワークを介して無線基地局２０と接続される構成としても良い。
【００４１】
同様に、中継装置４０とコンテンツ送信装置１０とは直接的に接続される必要はなく、中継装置４０は、不図示の他の中継装置やネットワークを介してコンテンツ送信装置１０と接続される構成としても良い。
【００４２】
中継装置４０は、コンテンツ送信装置１０と無線端末３０との間の通信に関わる通信品質を評価し、無線端末３０に対する無線リソースの割り当てを制御するための制御情報を生成し、生成した制御情報を無線基地局２０へと通知する。
【００４３】
＜第１の実施形態＞
図３は、図２を参照して説明した無線リソース制御システム１に関して、無線基地局２０と中継装置４０の構成例を模式的に示す図である。なお、コンテンツ送信装置１０および無線端末３０は、既存の装置をそのまま利用可能であり、また当業者には周知であるため、その詳細な構成を示す図面とその関連説明は省略する。
【００４４】
図３を参照すると、無線リソース制御システム１は、コンテンツ送信装置１０と、無線端末３０と、コンテンツ送信装置１０から送信されたデータ（パケット）を受信して前記無線端末３０へと無線伝送する無線基地局２０と、コンテンツ送信装置１０と無線基地局２０との間の通信経路上に設置された中継装置４０とを有する。中継装置４０は、コンテンツ送信装置１０と無線端末３０との間の通信に関わる通信品質を評価する通信品質評価部４０２と、前記通信品質をもとに、無線端末３０に対する無線リソースの割り当てを制御するための制御情報を生成する制御情報生成部４０３と、を備えている。無線基地局２０は、中継装置４０から送信された制御情報に基づいて、無線端末３０に対する無線リソースの割り当てを制御する無線リソース制御部２０１を備えている。
【００４５】
中継装置４０において、通信品質評価部４０２は、コンテンツ送信装置１０と無線端末３０との間の通信に関わる通信品質を、中継装置４０と無線端末３０との間の第一の通信品質と、コンテンツ送信装置１０と中継装置４０の間の第二の通信品質と、の少なくともいずれかを用いて、評価する構成としてもよい。あるいは、通信品質評価部４０２は、コンテンツ送信装置１０と無線端末３０との間の通信に関わる通信品質を、前記第一の通信品質および前記第二の通信品質の両方を用いて、コンテンツ送信装置１０と無線端末３０との間の第三の通信品質を算出して評価する構成としてもよい。このように通信品質評価部４０２は、無線基地局２０とコンテンツ送信装置１０との間の通信経路の少なくとも一部が含まれる通信経路を対象にして、通信品質を評価することが好ましい。
【００４６】
図３に示した本実施形態の無線リソース制御システム１における無線リソース制御方法（手順）の一例を説明する。
【００４７】
中継装置４０では、通信品質評価部４０２が、コンテンツ送信装置１０と無線端末３０との間の通信に関わる通信品質を評価し、制御情報生成部４０３が、前記通信品質をもとに、無線端末３０に対する無線リソースの割り当てを制御するための制御情報を生成する。
【００４８】
無線基地局２０では、無線リソース制御部２０１が、中継装置４０で生成された前記制御情報に基づいて、無線端末３０に対する無線リソースの割り当てを制御する。なお、ここでの無線リソースとは、例えば、モバイルアクセスネットワーク区間（無線区間）における周波数リソース、時間リソース、物理リソースブロック（Physical Resource Block）、送信電力、コンポーネントキャリア（Component Carrier）などの少なくともいずれかである。
【００４９】
なお、無線基地局２０に接続する無線端末３０は１台とは限らず、当然ながら２台以上であっても良い。その場合、無線リソース制御部２０１は、どの無線端末３０に対して、いつ、どのくらいの量の無線リソースを割り当てるかを制御しても良い。例えば、無線リソース制御部２０１は、中継装置４０から通知される制御情報に基づき、特定の無線端末３０に対する無線リソースの割り当てを優先しても良い。あるいは、無線リソース制御部２０１は、無線端末３０が複数のベアラを確立している場合に、特定のベアラに対する無線リソースの割り当てを優先するようにしても良い。
【００５０】
図３において、無線基地局２０の無線リソース制御部２０１は、無線基地局２０に実装された不図示のコントローラやプロセッサ（CPU（Central Processing Unit））で実行されるプログラム（不図示のメモリ等に記憶される）により、その機能・処理の少なくとも一部を実行するようにしてもよい。同様に、中継装置４０の通信品質評価部４０２と制御情報生成部４０３は、中継装置４０に実装された不図示のコントローラやプロセッサ（CPU）で実行されるプログラム（不図示のメモリ等に記憶される）により、その機能・処理の少なくとも一部を実行するようにしてもよい。以下の第２乃至第４の実施形態における中継装置４０の各部、無線基地局２０の各部についても同様である。
【００５１】
本実施形態によれば、コンテンツ送信装置１０と無線端末３０との間の通信に関わる通信品質の評価結果に基づき、無線端末３０に対する無線リソースの割り当てを制御する構成としたことにより、コンテンツ送信装置１０と無線端末３０間の所要通信品質をエンドツーエンドで満足するように、無線端末３０に対する無線リソース制御を実現可能としている。
【００５２】
＜第２の実施形態＞
次に、図２を参照して説明した無線リソース制御システム１に関して、無線基地局２０と中継装置４０のさらに別の構成例を説明する。なお、本実施形態においても、コンテンツ送信装置１０および無線端末３０は、前記実施形態と同様、既存の装置をそのまま利用可能であり、また当業者には周知であるため、その詳細な構成を示す図面とその関連説明は省略する。
【００５３】
図４は、無線基地局２０および中継装置４０の構成例を示す図である。図４を参照すると、無線基地局２０は、通信部２００と無線リソース制御部２０１とを含む。
【００５４】
無線基地局２０において、通信部２００は、無線基地局２０としての基本機能を提供する。例えば、通信部２００は、モバイルコアネットワークとモバイルアクセスネットワークとの間のトラフィックを中継し、無線端末３０との間で無線信号を送受信する機能などを有する。なお、無線基地局２０の通信部２００が備える機能は、当業者には周知であるため、詳細な説明は省略する。
【００５５】
無線基地局２０の無線リソース制御部２０１は、中継装置４０から通知される制御情報を用いて、無線端末３０に対する、無線リソース（Radio Resource）の割り当てを制御する。無線リソースとは、例えば、モバイルアクセスネットワーク区間（無線区間）における
・周波数リソース、
・時間リソース、
・物理リソースブロック（Physical Resource Block）、
・送信電力、
・コンポーネントキャリア（Component Carrier）
などの少なくともいずれかである。
【００５６】
なお、無線基地局２０に接続する無線端末３０は１台とは限らず、複数台であっても良いことは勿論である。その場合、無線リソース制御部２０１は、どの無線端末３０に対して、いつ、どのくらいの量の無線リソースを割り当てるかを制御しても良い。例えば、無線リソース制御部２０１は、中継装置４０から通知される制御情報に基づき、特定の無線端末３０に対する無線リソースの割り当てを優先しても良い。あるいは、無線リソース制御部２０１は、無線端末３０が複数のベアラを確立している場合に、特定のベアラに対する無線リソースの割り当てを優先しても良い。
【００５７】
中継装置４０は、通信部４００、通信種別特定部４０１、通信品質評価部４０２、制御情報生成部４０３を含む。
【００５８】
通信部４００は、コンテンツ送信装置１０および無線基地局２０との間のトラフィックを中継する機能を有する。
【００５９】
なお、中継装置４０とコンテンツ送信装置１０、および、中継装置４０と無線基地局２０は、直接的に接続される必要はなく、他の中継装置やネットワークを介して接続される構成としても良い。ＬＴＥのモバイルコアネットワークの構成要素であるＰ−ＧＷやＳ−ＧＷ、あるいは、トラフィック制御装置などを中継装置４０とする場合、中継装置４０の通信部４００は、これらの装置が提供する機能を有する。
【００６０】
中継装置４０の通信種別特定部４０１は、コンテンツ送信装置１０と無線端末３０との間の通信を監視し、通信種別を特定する。より具体的には、通信種別特定部４０１は、例えばＤＰＩ（Deep Packet Inspection）機能などを用いて、パケットを解析することで、通信種別を特定することができる。
【００６１】
ここで、ＤＰＩとは、パケットのペイロード（データ部分）を読み込み（検査し）、より上位のレイヤの情報を得る機能をいう（例えばＩＰレイヤの上位レイヤのＴＣＰヘッダはIPパケットのペイロード部に配置される）。
【００６２】
なお、「通信種別の特定」には、中継装置４０以外の他の装置によって特定された通信種別を通信回線経由で取得することも含むものとする。通信種別特定部４０１は、無線基地局２０に配置されても良い。
【００６３】
なお、ここでの通信種別とは、例えば以下のような情報の少なくともいずれかを含む。
・アプリケーションタイプ（例えば音声通話、ビデオ通話、音声ストリーミング、ビデオストリーミング、ｅ−ｍａｉｌ、ＳＭＳ（Short Message Service）、ＭＭＳ（Multimedia Messaging Service）、チャット、ＷＥＢブラウジング、ＦＴＰ、ゲームなど）、
・アプリケーション名、
・プロトコル（例えばセッション層のプロトコル（例えばＨＴＴＰ(Hypertext Transfer Protocol)、ＦＴＰ、ＳＭＴＰ（Simple Mail Transfer Protocol）、ＳＩＰ（Session Initiation Protocol）、Ｈ．３２３など）やトランスポート層のプロトコル（例えばＴＣＰ、ＵＤＰ（User Datagram Protocol）、ＳＳＬ（Secure Sockets Layer）、ＩＰＳｅｃ（Security Architecture for Internet Protocol）など）など）、
・コンテンツ送信装置１０および／または無線端末３０のＩＰ（Internet Protocol）アドレス、ポート番号、
・モバイルコアネットワークで付与されるＱＣＩ。
【００６４】
中継装置４０の通信品質評価部４０２は、コンテンツ送信装置１０と無線端末３０との間の通信に関わる通信品質を評価する。通信品質評価部４０２が評価する通信品質は、中継装置４０と無線端末３０との間の通信品質（第一の通信品質）であっても良い。
【００６５】
あるいは、通信品質評価部４０２が評価する通信品質は、コンテンツ送信装置１０と中継装置４０との間の通信品質（第二の通信品質）であっても良い。あるいは、コンテンツ送信装置１０と無線端末３０とを結ぶエンドツーエンドの通信経路のうち、「無線基地局２０と無線端末３０との間のモバイルアクセスネットワーク区間（無線区間）を除く区間の通信経路（すなわち、無線基地局２０とコンテンツ送信装置１０との間の通信経路）」の一部を少なくとも含む通信経路を対象にして評価した通信品質を、コンテンツ送信装置１０と無線端末３０との間の通信に関わる通信品質として用いても良い。
【００６６】
また、通信品質評価部４０２は、中継装置４０と無線端末３０との間の通信品質、及び、コンテンツ送信装置１０と中継装置４０との間の通信品質を用いて、コンテンツ送信装置１０と無線端末３０との間の通信品質（エンドツーエンドの通信品質）を算出しても良い。
【００６７】
通信品質指標としては、例えば、
・パケット遅延（片道遅延（One Way Delay）や往復遅延（ＲＴＴ（Round Trip Time）））、
・パケット遅延変動、
・パケットロス率（又はパケットロス数）、
・パケットエラー率（又はパケットエラー数）、
・パケット順序逆転率（又はパケット順序逆転数）、
・パケット転送速度、
・パケット再送率（又はパケット再送数）、
などのうち少なくとも１つを含む。また、これらの通信品質指標を任意に組み合わせて、新たな通信品質指標を定義しても良い。
【００６８】
通信品質評価部４０２は、例えばＤＰＩ（Deep Packet Inspection）などの手段を用いて、通信品質を評価することができる。
【００６９】
あるいは、通信品質評価部４０２は、コンテンツ送信装置１０と無線端末３０との間の通信に関わる通信品質を評価するために、エンドツーエンドで終端されるプロトコル（例えばＴＣＰプロトコル）を中継装置４０にて終端する機能を有しても良い。
【００７０】
例えば、コンテンツ送信装置１０から送信されたパケットが中継装置４０に到着して無線基地局２０へと中継される際に、中継装置４０の通信品質評価部４０２は、当該パケットの
・送信元（コンテンツ送信装置１０）のＩＰアドレス（ＩＰヘッダ）、
・送信元（コンテンツ送信装置１０）のポート番号（例えばＴＣＰヘッダ）、
・送信先（無線端末３０）のＩＰアドレス（ＩＰヘッダ）、
・送信先（無線端末３０）のポート番号（例えばＴＣＰヘッダ）、
・当該パケットのシーケンス番号（例えばＴＣＰヘッダ）、
・中継装置４０への当該パケットの到達時刻、
などの情報（「ダウンリンク転送情報」と呼ぶ）を、ＤＰＩによって特定して記録しておく。
【００７１】
ＩＰネットワーク機器で、ＩＰの上位層であるＴＣＰやＵＤＰ（User Datagram Protocol）のヘッダを調べること（Deepではない浅いinspection）を、ステートフル・パケット・インスペクション（Stateful Packet Inspection：ＳＰＩ）ともいう（ＳＰＩはネットワークの通信の状況を監視し通信が適切に行われているかチェックする）。なお、ＴＣＰパケットは、ＩＰパケットのペイロードに含まれ、ＩＰヘッダ（標準で２０バイト）に続くＴＣＰヘッダは２０バイト＋オプション（４バイトの倍数）となる。またＩＰパケットのペイロードに含まれるＵＤＰヘッダ（送信元ポート、宛先ポート番号、ＵＤＰパケット長、チェックサム）は８バイトである。
【００７２】
さらに、無線端末３０へと送信されたパケットに対する無線端末３０からの応答パケット（例えば肯定応答ＡＣＫ（Acknowledgement）パケットや否定応答ＮＡＣＫ（Negative Acknowledgement）パケット：ただし、ＴＣＰでは否定応答（ＮＡＣＫ）は使われない）が中継装置４０に到着してコンテンツ送信装置１０へと中継される際に、中継装置４０の通信品質評価部４０２は、当該応答パケットの
・送信元（無線端末３０）のＩＰアドレス、
・送信元（無線端末３０）のポート番号、
・送信先（コンテンツ送信装置１０）のＩＰアドレス、
・送信先（コンテンツ送信装置１０）のポート番号、
・当該パケットの中継装置４０への到達時刻、
・無線端末３０が次に要求するパケットのシーケンス番号、
などの情報（「アップリンク転送情報」と呼ぶ）をＤＰＩなどによって特定して記録しておく。
【００７３】
ここで、通信品質の評価例として、パケット遅延の評価例について説明する。
【００７４】
中継装置４０において、通信品質評価部４０２は、ダウンリンク転送情報とアップリンク転送情報とを対応付け、無線端末３０から中継装置４０へのパケット到着時刻と、コンテンツ送信装置１０から中継装置４０へのパケットの到着時刻の時間差を分析することで、中継装置４０と無線端末３０との間のパケットの往復遅延（ＲＴＴ）を評価することができる。パケットの片道遅延は、例えば往復遅延（ＲＴＴ）を２で除して求めても良い。
【００７５】
あるいは、通信品質評価部４０２は、「中継装置４０から無線端末３０へのパケット転送速度」と、「無線端末３０から中継装置４０へのパケット転送速度」との比を用いて、「中継装置４０から無線端末３０への片道遅延」及び「無線端末３０から中継装置４０への片道遅延」を求めても良い。
【００７６】
例えば、「中継装置４０から無線端末３０へのパケット転送速度」が「無線端末３０から中継装置４０へのパケット転送速度」の２倍であることが、測定値によって導出された場合（あるいは経験的に分かっている場合）を例に説明する。
【００７７】
この場合、中継装置４０と無線端末３０との間のパケットの往復遅延（ＲＴＴ）が３００ｍｓ（millisecond）であれば、通信品質評価部４０２は、当該往復遅延を、例えば１：２に配分して、
「中継装置４０から無線端末３０への片道遅延」は１００ｍｓ、
「無線端末３０から中継装置４０への片道遅延」は２００ｍｓと、算出することができる。
【００７８】
次に、通信品質の他の評価例として、パケット再送率の評価例について説明する。
【００７９】
中継装置４０の通信品質評価部４０２は、ダウンリンク転送情報を用いて、
・送信元（コンテンツ送信装置１０）のＩＰアドレス、
・送信元（コンテンツ送信装置１０）のポート番号、
・送信先（無線端末３０）のＩＰアドレス、
・送信先（無線端末３０）のポート番号、
のそれぞれが同一であるパケットについて、ＴＣＰヘッダのシーケンス番号（パケット受信毎に所定量が加算される）が同一であるパケットの送信回数を分析することによって、中継装置４０から無線端末３０へのパケット再送率を評価することができる。
【００８０】
次に、通信品質の他の評価例として、パケット転送速度の評価例について説明する。
【００８１】
中継装置４０の通信品質評価部４０２は、ダウンリンク転送情報を用いて、
・送信元（コンテンツ送信装置１０）のＩＰアドレス、
・送信元（コンテンツ送信装置１０）のポート番号、
・送信先（無線端末３０）のＩＰアドレス、
・送信先（無線端末３０）のポート番号、
のそれぞれが同一である複数のパケットについて、単位時間当たりのパケット送信回数を分析することで、中継装置４０から無線端末３０へのパケット転送速度を評価することができる。
【００８２】
次に、通信品質の他の評価例として、パケットロス率やパケット順序逆転率の評価例について説明する。
【００８３】
ＴＣＰプロトコルでは、ＴＣＰヘッダのシーケンス番号（パケット受信毎に所定量が加算される）を用いて、パケットロスの発生やパケット到着順序の逆転を検出することができる。また、ＲＴＰ（Real-time Transport Protocol）プロトコルのヘッダ（ＵＤＰ（User Datagram Protocol）パケットのペイロード）のシーケンス番号（パケット受信毎に所定量が加算される）を用いて、パケットロスの発生やパケット到着順序の逆転を検出することもできる。パケットロス率は、通信経路上でのパケットロスの発生頻度を示す。また、パケット順序逆転率は、パケットの到着順序の逆転が発生した頻度を示す。
【００８４】
なお、中継装置４０が通信種別の特定及び通信品質の評価をするに足りる機能を予め有している場合には、中継装置４０は、さらに上位のレイヤの情報を得るためにＤＰＩ機能を有していなくともよい。
【００８５】
例えば、Ｐ−ＧＷは、ＩＰレイヤのプロトコルを終端する機能を有し、ＩＰヘッダを読み込むことができる。ＩＰヘッダには、上位に当たるトランスポート層のプロトコルの種類を表す番号を格納するための８ビットのプロトコル番号フィールドがある。そのため、例えば中継装置４０がＰ−ＧＷであって、通信種別を判断するための情報として「プロトコル」を採用した場合、Ｐ−ＧＷは、ＩＰヘッダ内のプロトコル番号フィールドの情報から通信種別を特定することができる。さらに、Ｐ−ＧＷとして構成された中継装置４０は、ＩＰヘッダ内のＩＰアドレス（送信元ＩＰアドレスおよび送信先ＩＰアドレス）などから、上記に示した方法と同様の方法によって、通信品質を評価することができる。
【００８６】
上記の例では、通信品質評価部４０２が、中継装置４０と無線端末３０との間の通信品質を評価する例を示したが、本実施形態は、上記した例に限定されるものでないことは勿論である。
【００８７】
例えば、無線端末３０からコンテンツ送信装置１０へと送信されるパケットを用いて、中継装置４０が当該パケットをコンテンツ送信装置１０へと中継する際の情報を、ダウンリンク転送情報とみなし、当該パケットに対する応答パケットを、中継装置４０がコンテンツ送信装置１０から受信して、無線基地局２０へと中継する際の情報を、アップリンク転送情報とみなすことで、上述した方法と同様の方法により、中継装置４０は、コンテンツ送信装置１０と中継装置４０との間の通信品質を評価することができる。
【００８８】
また、上記の例では、中継装置４０と無線端末３０との間の通信品質、及び、コンテンツ送信装置１０と中継装置４０との間の通信品質を、コンテンツ送信装置１０と無線端末３０との間を流れるパケットを分析（活用）することによって評価する方法を述べたが、これに限定されない。例えば、中継装置４０と無線端末３０との間の通信品質を評価するために、専用のパケットを中継装置４０から無線端末３０に向けて送信しても良い。
【００８９】
また、コンテンツ送信装置１０と中継装置４０との間の通信品質を評価するために、専用のパケットを中継装置４０からコンテンツ送信装置１０に向けて送信しても良い。
【００９０】
中継装置４０の通信品質評価部４０２が、コンテンツ送信装置１０と無線端末３０との間の通信品質（エンドツーエンドの通信品質）を評価する際には、上述したような方法によって、
・中継装置４０と無線端末３０との間の通信品質、及び、
・コンテンツ送信装置１０と中継装置４０との間の通信品質
のそれぞれを評価し、それぞれの区間で評価した通信品質を統合すれば良い。
【００９１】
例えば、通信品質がパケット遅延であれば、中継装置４０の通信品質評価部４０２は、それぞれの区間で評価したパケット遅延の和を算出すれば良い。
【００９２】
例えば、通信品質がパケット転送速度であれば、中継装置４０の通信品質評価部４０２は、それぞれの区間で評価したパケット転送速度の小さい方の値を算出すれば良い。
【００９３】
また、中継装置４０の通信品質評価部４０２は、中継装置４０と無線端末３０との間の通信品質、及び、コンテンツ送信装置１０と中継装置４０との間の通信品質のうちのいずれか一方のみを評価し、評価しなかった他方の通信品質については固定値を仮定しても良い。
【００９４】
この場合、通信品質評価部４０２は、「評価した通信品質」と、「仮定した固定値」の両者を用いて、コンテンツ送信装置１０と無線端末３０との間の通信品質（エンドツーエンドの通信品質）を評価することができる。なお、ここでの固定値の例としては、当該通信経路（中継装置４０と無線端末３０との通信経路や、コンテンツ送信装置１０と中継装置４０との間の通信経路など）の通信品質の統計値（例えば、平均値、中央値、最大値、最小値など）が挙げられる。
【００９５】
中継装置４０の制御情報生成部４０３は、無線端末３０に対する無線リソースの割り当てを制御するための制御情報を生成し、生成した制御情報を無線基地局２０へ通知する。
【００９６】
中継装置４０の制御情報生成部４０３は、例えば、
・通信品質評価部４０２が評価した通信品質、
・通信品質評価部４０２が評価した通信品質と要求品質との比較結果、
・無線基地局２０と無線端末３０との間の通信品質の目標値、
・無線リソースの割り当て優先度、
・無線端末やベアラの識別子、
などのうち、少なくとも１つを含む制御情報を生成し、生成した制御情報を無線基地局２０へ通知する。
【００９７】
中継装置４０は、例えば、コンテンツ送信装置１０から無線端末３０へと送信されるパケットの一部に制御情報を書き込むことで、該制御情報を無線基地局２０へと通知することができる。
【００９８】
具体的には、中継装置４０の制御情報生成部４０３は、制御情報の書込み用の領域として、コンテンツ送信装置１０から無線端末３０へと送信されるパケットのＩＰヘッダの未使用領域を用いることができる。例えば、ＩＰヘッダ（ＩＰｖ４などのヘッダ）に含まれる
・ＴＯＳ（Type of Service）フィールドのReserved Bits、
・ＤＳ（Differentiated Service）フィールドのReserved Bits、
・Ｏｐｔｉｏｎｓフィールド、
・Ｐａｄｄｉｎｇフィールド
などを用いることができる。
【００９９】
ＴＯＳ（Type of Service）フィールドは、ＩＰヘッダの９〜１６ビット目のフィールド（８ビット）である。ＴＯＳフィールドは、転送の優先度を指定する先頭３ビット(precedence）と、遅延、スループット、信頼性、コストに関する条件を指定する４ビット、未使用な１ビットからなる。ＤＳ(Differentiated Services）フィールドは、先頭６ビット（Differentiated Services Code Point：ＤＳＣＰ）で転送の優先度を設定し、残りの２ビットが未使用領域となる。
【０１００】
Ｏｐｔｉｏｎｓフィールドは長さが不特定であるため、ＩＰヘッダ長が４バイト単位になるように、通常は、Ｐａｄｄｉｎｇフィールドで埋められる。
【０１０１】
また、コンテンツ送信装置１０から無線端末３０へと送信されるパケットとは独立した専用のパケットを中継装置４０にて生成して、生成した専用のパケットを用いて、無線基地局２０に対して、制御情報を通知しても良い。
【０１０２】
中継装置４０から無線基地局２０への制御情報の通知は、例えば、
・中継装置４０がコンテンツ送信装置１０または無線端末３０からパケットを受信したタイミング、
・コンテンツ送信装置１０から到着したパケットを無線基地局２０へと送信するタイミング、
・定期的（例えば、１０ミリ秒毎、１００ミリ秒毎、１秒毎、１０秒毎など）、あるいは、
・任意のタイミング、
で行うことができる。また、中継装置４０は、制御情報を、上記通知タイミングで必ずしも通知する必要はない。例えば、無線基地局２０にて無線リソースの割り当てを制御する必要があると判定された場合に、中継装置４０は、無線基地局２０からの要求に基づき、制御情報を無線基地局２０に通知しても良い。
【０１０３】
［動作の説明］ 
本実施の形態に係る無線リソース制御システム１による無線リソース制御処理の具体例について、図５のフローチャートを参照して説明する。  
【０１０４】
中継装置４０にて、コンテンツ送信装置１０と無線端末３０との間の通信が検出されると、無線リソース制御処理が開始される。中継装置４０の通信種別特定部４０１は、コンテンツ送信装置１０と無線端末３０との間の通信の種別（通信種別）を特定する（ステップＳ１００）。
【０１０５】
続いて、中継装置４０の通信品質評価部４０２は、コンテンツ送信装置１０と無線端末３０との間の通信に関わる通信品質を評価する（ステップＳ１０１）。
【０１０６】
中継装置４０の制御情報生成部４０３は、通信品質評価部４０２による通信品質の評価結果を用いて、無線端末３０に対する無線リソースの割り当てを制御するための制御情報を生成して無線基地局２０へと通知する（ステップＳ１０２）。
【０１０７】
無線基地局２０の無線リソース制御部２０１は、中継装置４０から通知された制御情報を受信すると、該通知された制御情報を用いて、無線端末３０に対する無線リソースの割り当てを制御する（ステップＳ１０３）。
【０１０８】
（実施例１）
次に、図２、図４及び図５を参照して説明した前記実施形態の一具体例（実施例１）について以下に説明する。実施例１では、中継装置４０は、コンテンツ送信装置１０と無線端末３０との間の通信に関わる通信品質が、当該通信の通信種別によって規定される要求品質を満たすか否かを制御情報として生成する。
【０１０９】
そして、無線基地局２０は、該制御情報を用いて、無線端末３０に対する無線リソースの割り当てを制御する。
【０１１０】
具体的な動作例を図５と対応付けて説明する。  
【０１１１】
図５のステップＳ１００では、中継装置４０の通信種別特定部４０１は、ＤＰＩなどの手段により、中継装置４０によって中継されるパケットを解析し、通信種別として例えばＱＣＩを特定する。ここでは、図１に示すＱＣＩテーブルのうち、ＱＣＩ＝６（Ｖｉｄｅｏ（Buffered Streaming））が特定されたと仮定する。
【０１１２】
なお、通信種別としてＱＣＩを特定するのは単なる一例であり、上述した通り、アプリケーションタイプ、アプリケーション名、プロトコル、ＩＰアドレス、ポート番号などを通信種別として特定しても良い。
【０１１３】
図５のステップＳ１０１では、中継装置４０の通信品質評価部４０２は、ＤＰＩなどの手段により中継装置４０によって中継されるパケットを解析し、中継装置４０と無線端末３０との間の通信品質を評価する。
【０１１４】
具体的には、図１に示すように、各ＱＣＩには要求品質としてパケット遅延（図１では、Packet Delay Budget） 及びパケットロス率（図１では、Packet Loss Rate）が規定されているため、通信品質評価部４０２は、中継装置４０から無線端末３０へのパケット遅延及びパケットロス率を評価する。
【０１１５】
なお、コンテンツ送信装置１０と無線端末３０との間の通信に関わる通信品質として、中継装置４０と無線端末３０との間の通信品質を評価するのは単なる一例である。上述した通り、コンテンツ送信装置１０と中継装置４０との間の通信品質、コンテンツ送信装置１０と無線端末３０との間の通信品質（エンドツーエンドの通信品質）を評価しても良い。
【０１１６】
図５のステップＳ１０２では、中継装置４０の制御情報生成部４０３は、通信品質評価部４０２により評価された通信品質が要求品質を満たしているか否かを判定し、制御情報を生成する。
【０１１７】
具体的には、中継装置４０の制御情報生成部４０３は、例えば、
・評価された通信品質が要求品質を満たすか否かを示す２値の情報、
・評価された通信品質と要求品質との差を示す情報、
・評価された通信品質が要求品質を満たさなかった程度を示す数段階のインディケータ、
・評価された通信品質が要求品質をどの程度の余裕をもって満たしたかを示す数段階のインディケータ、
などの少なくとも１つを、制御情報として生成する。
【０１１８】
ここでは、仮に、
・通信種別が、ＱＣＩ＝６と特定され、且つ、
・通信品質が、要求品質を満たすか否かを示す２値の情報（１ビット）を、制御情報として中継装置４０で生成し、無線基地局２０に通知する場合について説明する。
【０１１９】
中継装置４０の通信品質評価部４０２により評価された、
・パケット遅延が５００ｍｓ（millisecond）、
・パケットロス率が０．００００１％（０．００００００１＝１０E−７）
である場合、
パケット遅延に対する要求品質である３００ｍｓを満たさない。このため、制御情報生成部４０３は、制御情報を、例えば“１（要求品質を違反）”に設定する。
【０１２０】
一方、中継装置４０の通信品質評価部４０２により評価された、
・パケット遅延が１００ｍｓ、
・パケットロス率が０．００００１％（０．００００００１＝１０E−７）
である場合、パケット遅延及びパケットロス率ともに要求品質を満たしている。このため、制御情報生成部４０３は、制御情報を、例えば“０（要求品質を満足）”に設定する。
【０１２１】
この場合、中継装置４０から無線基地局２０への制御情報の通知には、１ビット分のデータ量だけあれば良い。
【０１２２】
別の例として、中継装置４０の制御情報生成部４０３は、評価された通信品質が要求品質を満たしたこと、及び、評価された通信品質が要求品質を満たさなかった程度を示す数段階のインディケータを、制御情報として生成し、無線基地局２０に通知することもできる。例えば、
・評価された通信品質が要求品質を満たす（０）、
・評価された通信品質が要求品質を軽度に違反する（１）、
・評価された通信品質が要求品質を中程度に違反する（２）、
・評価された通信品質が要求品質を重度に違反する（３）、
のように、４段階のインディケータ(例えば２進表示の"00"、"01"、"10"、"11")を規定しても良い。この場合、中継装置４０から無線基地局２０への制御情報の通知には、２ビット分のデータ量だけあれば良い。
【０１２３】
中継装置４０は、コンテンツ送信装置１０から無線端末３０へと送信されるパケットに含める形で、制御情報を、無線基地局２０へと通知することができる。具体的には、中継装置４０は、評価したパケットと同一のフロー（同一のＩＰアドレス及びポート番号）に属するパケットに含める形で、制御情報を無線基地局２０へと通知することができる。例えば、上述したように、中継装置４０は、ＩＰヘッダに含まれるＴＯＳフィールドの「Reserved Bits」、ＤＳフィールドの「Reserved Bits」、Ｏｐｔｉｏｎｓフィールド、Ｐａｄｄｉｎｇフィールドなどを用いて、制御情報を無線基地局２０に通知すれば良い。
【０１２４】
あるいは、中継装置４０は、通信種別にて判別されるアプリケーションに関する過去の統計情報などに基づき、制御情報を決定し、該制御情報を無線基地局２０へ通知してもよい。 
【０１２５】
図５のステップＳ１０３では、無線基地局２０の無線リソース制御部２０１は、中継装置４０から受信した制御情報を用いて、無線端末３０に対する無線リソースの割り当てを制御する。
【０１２６】
無線基地局２０の無線リソース制御部２０１は、例えば、通信品質が要求品質を満たすか否かを示す２値の情報として制御情報が中継装置４０から通知される場合、通信品質が要求品質を満たしていないと判定された無線端末３０あるいはベアラに対する無線リソース（例えば、周波数リソース、時間リソース、物理リソースブロック（Physical Resource Block）、送信電力、コンポーネントキャリア（Component Carrier）などのうちの少なくとも１つ）の割り当てを優先させる。
【０１２７】
また、無線基地局２０の無線リソース制御部２０１は、通信品質が要求品質を満たしていると判定された無線端末３０あるいはベアラに対する無線リソース（例えば、周波数リソース、時間リソース、物理リソースブロック（Physical Resource Block）、送信電力、コンポーネントキャリア（Component Carrier）などのうちの少なくとも１つ）の割り当てを減少させても良い。
【０１２８】
無線基地局２０の無線リソース制御部２０１でこのような制御を行うことによって、通信品質が要求品質を満たしていない通信に対しては、無線リソースの割り当て量を増加させて要求品質を満足させるとともに、通信品質が要求品質を過剰に満たしている通信に対しては、無線リソースの割り当て量を減少させることで、無線リソースの節約を図ることができる。
【０１２９】
別の例として、無線基地局２０の無線リソース制御部２０１は、
・通信品質が要求品質を満たす（０）、
・通信品質が要求品質を軽度に違反する（１）、
・通信品質が要求品質を中程度に違反する（２）、
・通信品質が要求品質を重度に違反する（３）、
という４段階のインディケータとして制御情報が中継装置４０から通知される場合、当該通信に対する無線リソースの割り当て優先度Ｍｉを、例えば次式（１）、又は次式（２）により計算することもできる。
【０１３０】
Ｍｉ＝Ｘｉ＋Ｙｋ  ・・・・（１）
【０１３１】
Ｍｉ＝Ｘｉ＊Ｙｋ  ・・・・（２）
【０１３２】
ここで、
Ｍｉは、無線端末ｉ（ｉ番目の無線端末３０）あるいはベアラｉに対する無線リソースの割り当て優先度を示す。
【０１３３】
Ｘｉは、Ｍｉの一般的な指標値であり、無線基地局２０と無線端末ｉ（ｉ番目の無線端末３０）との間の無線区間の特性に基づき決定される。
【０１３４】
具体的には、Ｘｉは、無線区間の特性に基づき、例えば公知の最大ＣＩＲ（Maximum CIR（Carrier to Interference Ratio：搬送波対干渉波比））法やプロポーショナルフェアネス（Proportional Fairness）法によって決定される優先度である。
【０１３５】
なお、最大ＣＩＲ法は、無線基地局２０と無線端末３０との間の通信品質が最も良い無線端末３０に対して無線リソースを割り当てるスケジューリング方法である。プロポーショナルフェアネス法は、例えばそれぞれの物理リソースブロックで各無線端末３０の瞬時的な通信品質と、平均的な通信品質との比率を計算して、当該比率が最大となる無線端末３０に対して物理リソースブロックを割り当てる方法である。
【０１３６】
Ｙｋは、中継装置４０から無線基地局２０に通知される制御情報に対応して決定される優先度である。例えば、上述の４段階のインディケータの値ｋ（＝０、１、２、３）に対応させ、上式（１）を用いる場合には、
Ｙ０＝０．０、Ｙ１＝０．５、Ｙ２＝１．０、Ｙ３＝１．５、
などと設定する。
【０１３７】
上式（２）を用いる場合には、
Ｙ０＝１．０、Ｙ１＝１．１、Ｙ２＝１．２、Ｙ３＝１．３
などと設定すれば良い。
【０１３８】
なお、ここでのＹｋに相当する情報、すなわち、無線リソースの割り当て優先度を示す情報は、中継装置４０から無線基地局２０に通知された制御情報を用いて、無線基地局２０で算出する構成としても良い。あるいは、無線リソースの割り当て優先度を示す情報そのものを、中継装置４０から制御情報として、無線基地局２０に通知する構成としても良い。
【０１３９】
さらなる変形例として、中継装置４０の通信種別特定部４０１を、無線基地局２０に配置し、中継装置４０の制御情報生成部４０３は、通信品質評価部４０２により評価された通信品質を、制御情報として、無線基地局２０へ通知する構成としても良い。
【０１４０】
この場合、無線基地局２０に配置された通信種別特定部４０１が、通信種別を特定するとともに、無線基地局２０の無線リソース制御部２０１は、中継装置４０から制御情報として受信した「中継装置４０の通信品質評価部４０２により評価された通信品質」が、特定された通信種別によって規定される要求品質を満たすか否かを判定する。
【０１４１】
なお、無線基地局２０の無線リソース制御部２０１において、評価された通信品質が要求品質を満たすか否かの判定結果に応じた無線リソースの制御方法については、上述した例と同様の方法を適用することができる。
【０１４２】
（実施例２）
図２、図４及び図５を参照して説明した前記実施形態のさらに別の具体例（実施例２）について以下に説明する。実施例２では、中継装置４０は、無線基地局２０と無線端末３０との間の通信品質の目標値を、制御情報として、中継装置４０から無線基地局２０へと通知する。
【０１４３】
実施例２における無線基地局２０の無線リソース制御部２０１は、無線基地局２０と無線端末３０との間の無線区間において達成すべき通信品質の目標値（目標通信品質）を保持している。
【０１４４】
通常、このような無線区間の目標通信品質は、無線基地局２０よりも上位の区間（例えば、コンテンツ送信装置１０と無線基地局２０との間の通信経路）の統計的な通信品質特性に基づき、固定的に設定される。
【０１４５】
例えば、
・コンテンツ送信装置１０と無線端末３０との間のパケット遅延（エンドツーエンドのパケット遅延）の目標値が１００ｍｓ以内であり、
・コンテンツ送信装置１０と無線基地局２０との間の平均的なパケット遅延が４０ｍｓである場合には、
無線基地局２０と無線端末３０との間のパケット遅延の目標値は、６０ｍｓに設定される。そして、無線基地局２０の無線リソース制御部２０１は、当該目標値を達成するように、無線リソースの割り当てを制御する。
【０１４６】
実施例２では、無線基地局２０は、中継装置４０から通知された制御情報に基づき、無線区間の通信品質の目標値を、中継装置４０の通信品質評価部４０２における通信品質の評価の結果に基づき、動的に変更する。
【０１４７】
実施例２における図５のステップＳ１００の動作は、前記実施例１の場合と同様であるため、説明は省略する。
【０１４８】
図５のステップＳ１０１では、中継装置４０の通信品質評価部４０２は、ＤＰＩなどの手段により、中継装置４０によって中継されるパケットを解析し、コンテンツ送信装置１０と中継装置４０との間の通信品質を評価する。例えば、通信品質評価部４０２は、コンテンツ送信装置１０と中継装置４０との間の平均的なパケット遅延を評価する。
【０１４９】
図５のステップＳ１０２では、中継装置４０の制御情報生成部４０３は、通信品質評価部４０２によって評価された、コンテンツ送信装置１０と中継装置４０との間の平均的なパケット遅延を、制御情報として、無線基地局２０へと通知する。
【０１５０】
図５のステップＳ１０３では、無線基地局２０の無線リソース制御部２０１は、中継装置４０から通知された制御情報を用いて、自身が保持する目標通信品質を更新する。これにより、無線リソースの割り当てを制御する。
【０１５１】
例えば、コンテンツ送信装置１０と中継装置４０との間のパケット遅延が１０ｍｓであるという前提のもとで設定された、無線基地局２０と無線端末３０との間のパケット遅延の目標値が、６０ｍｓであるとする。
【０１５２】
このとき、中継装置４０から通知された制御情報によって、コンテンツ送信装置１０と中継装置４０との間の実際のパケット遅延の平均値が２０ｍｓであると判定された場合、無線基地局２０は、自身が保持するパケット遅延の目標値（６０ｍｓ）を、コンテンツ送信装置１０と中継装置４０との間のパケット遅延の前提値（１０ｍｓ）からの差異（遅れ）である１０ｍｓ（＝２０ｍｓ−１０ｍｓ）分だけ修正（短縮）し、５０ｍｓ（＝６０ｍｓ−１０ｍｓ）に変更する。
【０１５３】
なお、上記の例では、無線区間の通信品質の目標値を、無線基地局２０の無線リソース制御部２０１にて算出したが、かかる構成に限定されるものでないことは勿論である。例えば、無線区間の通信品質の目標値を、中継装置４０にて算出し、算出した結果（無線区間の通信品質の目標値）を、制御情報として、無線基地局２０へと通知しても良い。
【０１５４】
上述したように、本実施の形態に係る無線リソース制御システム１は、通信種別特定部４０１が通信種別を特定し、中継装置４０の通信品質評価部４０２がコンテンツ送信装置１０と無線端末３０との間の通信に関わる通信品質を評価する。そして、無線基地局２０の無線リソース制御部２０１が、コンテンツ送信装置１０と無線端末３０との間の通信に関わる通信品質に基づき、無線端末３０に対する無線リソースの割り当てを制御する。この結果、通信種別毎の要求品質を、コンテンツ送信装置１０と無線端末３０との間のエンドツーエンドで満足するように、無線基地局２０における無線リソースの割り当てを制御することが可能となる。
【０１５５】
＜第３の実施形態＞
本発明の第３の実施形態について、図面を参照して詳細に説明する。
［構成の説明］
本実施の形態に係る無線リソース制御システム１の構成は、図２を参照して説明した本発明の第２の実施の形態に係る無線リソース制御システム１と同一である。
【０１５６】
図６は、本実施の形態に係る無線基地局２０の構成例を示す図である。本実施の形態に係る無線基地局２０は、カバレッジ制御部２０２をさらに備えている点で、前記第２の実施の形態に係る無線基地局２０と相違する。以下では、本実施形態について、主に前記第２の実施形態との相違点について説明し、同一部分の説明は重複を回避するため、適宜省略する。
【０１５７】
図６において、カバレッジ制御部２０２は、無線基地局２０が管理する無線セルのカバレッジを制御する機能を有する。ここで、無線セルの「カバレッジ」とは、無線端末が当該無線セルに対して所定の無線品質で無線通信回線を確立することが可能な領域をいう。
【０１５８】
所定の無線品質とは、例えば、無線基地局２０の無線セルから到来する電波のＳＮＲ（Signal to Noise Ratio：信号対雑音比）又はＳＩＮＲ（Signal to Interference and Noise Ratio：信号対干渉雑音比）などが、基本サービス（ＳＲＢ（Signaling Radio Bearer：シグナリング無線ベアラ））の確立、及びＤＬ（Down Link） common channels（下り共通チャネル）で送られる情報の取得）を維持するために必要な所定値を満たす品質である。
【０１５９】
無線基地局２０は、例えば、無線セルのカバレッジを、
・広げる、
・狭める、あるいは
・形状を変更する、
ために、
・無線セルの送信電力（例えば無線セルの下り信号の最大送信電力）、
・無線セルのアンテナチルト角、
・無線セルのアンテナ方位角、
・無線セルのアンテナ指向性
といった無線パラメータを制御する。
【０１６０】
また、無線セルのカバレッジを制御する無線パラメータには、無線セル選択用のオフセットパラメータ（例えば、無線セル間の無線品質の比較に用いるオフセットパラメータであるＱｏｆｆｓｅｔ）やハンドオーバパラメータなどを含む。Ｑｏｆｆｓｅｔは、無線セル選択に関するパラメータであり、アイドル状態の無線端末が周辺無線セルの受信電力の測定値に基づいてサービングセル（帰属セル）を選択する際に、周辺無線セルの受信電力に対するオフセットとして用いられる。
【０１６１】
ハンドオーバパラメータは、例えば
・ＣＩＯ（Cell Individual Offset：セル個別オフセット）、
・Event A1 Threshold、
・Event A2 Threshold、
・Event A3 Offset、
・Event A4 Offset、
・Event A5 Threshold、
・Event B1 Threshold、
・Event B2 Threshold、
・Hysteresis（無線品質のヒステリシス）、Time to Trigger（時間方向のヒステリシス：測定報告の送信条件が成立してから測定報告の送信が行われるまでの保護時間）などを含む。
【０１６２】
ここで、Event A1は、無線端末が接続する無線セル（サービングセル）の無線品質（例えば、受信電力）が閾値よりも高いときに、測定結果（ＭＲ：Measurement Report）を報告するイベントである。Event A2は、サービングセルの無線品質（例えば、受信電力）が閾値よりも低いときに、測定結果（ＭＲ）を報告するイベントである。Event A3は、隣接セルの無線品質（例えば、受信電力）がサービングセルよりも所定量以上高いときに、測定結果（ＭＲ）を報告するイベントである。Event A4は、隣接セルの無線品質（例えば、受信電力）が閾値よりも高いときに、測定結果（ＭＲ）を報告するイベントである。Event A5は、サービングセルの無線品質（例えば、受信電力）が閾値１よりも低く、隣接セルの無線品質（例えば、受信電力）が閾値２よりも高いときに、測定結果（ＭＲ）を報告するイベントである。Event B1は、Inter-RAT（Radio Access Technology）(例えばLTE→WCDMA（登録商標）、LTE→GSM（登録商標）など)の隣接セルの無線品質（例えば、受信電力）が閾値より高いときに、測定結果（ＭＲ）を報告するイベントである。Event B2は、サービングセルの無線品質（例えば、受信電力）が閾値１よりも低く、Inter-RATの隣接セルの無線品質（例えば、受信電力）が閾値２よりも高いときに、測定結果（ＭＲ）を報告するイベントである。
【０１６３】
さらに、無線基地局２０が管理する無線セルのみならず、無線基地局２０が管理する無線セルと隣接セル無線セルに対して、カバレッジの変更を指示する機能を有しても良い。
【０１６４】
［動作の説明］
本実施の形態に係る無線リソース制御システム１による無線リソース制御処理の具体例について、図７のフローチャートを参照して説明する。
【０１６５】
図７において、ステップＳ１００からステップＳ１０２までの動作は、図５を参照して説明した前記第２の実施の形態と同じであるため、説明を省略する。
【０１６６】
ステップＳ２００では、無線基地局２０の無線リソース制御部２０１は、中継装置４０から通知された制御情報が所定条件を満たすか否かを判定する。
【０１６７】
例えば、コンテンツ送信装置１０と無線端末３０との間の通信に関わる通信品質が、当該通信の通信種別によって規定される要求品質を満たさなかった程度を、中継装置４０から無線基地局２０に通知される制御情報とする場合を例に説明する。
【０１６８】
この場合、無線基地局２０の無線リソース制御部２０１は、通信品質が要求品質を満たさなかった程度が大きいか否かを判定する。例えば、
・通信品質が要求品質を満たす（０）、
・通信品質が要求品質を軽度に違反する（１）、
・通信品質が要求品質を中程度に違反する（２）、
・通信品質が要求品質を重度に違反する（３）
のように、４段階のインディケータとして制御情報が中継装置４０から通知される場合、無線基地局２０の無線リソース制御部２０１は、通信品質が要求品質を重度に違反する（３）か、否かを判定する。
【０１６９】
通信品質が要求品質を満たさなかった程度が小さい場合には、無線リソース制御部２０１は、前記第２の実施の形態と同様の、無線リソースの割り当て制御を実施する（ステップＳ１０３）。
【０１７０】
一方、通信品質が要求品質を満たさなかった程度が大きい場合には、無線リソース制御部２０１は、カバレッジ制御部２０２に対して、無線セルのカバレッジの変更を指示する。
【０１７１】
カバレッジ制御部２０２は、無線基地局２０が管理する無線セルまたは無線基地局２０が管理する無線セルに隣接する無線セルのカバレッジを制御する（ステップＳ２０１）。
【０１７２】
無線リソースの割り当て量を制御するだけでは、通信品質の改善効果は限定的であるが、このように、無線セルのカバレッジを制御することで、より大きな通信品質の改善効果を期待することができる。
【０１７３】
なお、制御情報が所定条件を満たすか否かの判定処理（図７のステップＳ２００）は、必ずしも、無線基地局２０で実施する必要はなく、例えば中継装置４０で実施しても良い。
【０１７４】
その場合、中継装置４０で行った制御情報が所定条件を満たすか否かの判定結果に基づき、中継装置４０は、無線基地局２０に対して、無線リソースの割り当て制御処理（図７のステップＳ１０３）と、無線セルのカバレッジ制御処理（図７のステップＳ２０１）のどちらの処理を無線基地局２０で実施すべきかを示す情報を、制御情報に含めて通知するようにしても良い。
【０１７５】
上述したように、本実施の形態に係る無線リソース制御システム１によれば、無線基地局２０のカバレッジ制御部２０２によって無線セルのカバレッジを制御することができる。このため、無線セルのサイズや形状が不適切であることが原因で通信品質が低い場合などにおいても、通信種別毎の要求品質を、コンテンツ送信装置１０と無線端末３０間のエンドツーエンドで満足するように、無線基地局２０における無線リソースを制御することが可能となる。
【０１７６】
＜第４の実施形態＞
本発明の第４の実施形態について、図面を参照して詳細に説明する。
［構成の説明］
本実施の形態に係る無線リソース制御システム１の構成は、図２を参照して説明した前記第２の実施の形態に係る無線リソース制御システム１と同一である。
【０１７７】
図８は、本実施の形態に係る無線基地局２０の構成例を示す図である。本実施の形態に係る無線基地局２０は、無線システム切り替え指示部２０３を備える点で、前記第２の実施の形態に係る無線基地局２０と相違している。以下では、前記第２の実施形態との相違点について主に説明し、同一部分の説明は重複を回避するため適宜省略する。
【０１７８】
無線基地局２０の無線システム切り替え指示部２０３は、無線端末３０に対して、無線端末３０が無線通信のために利用する無線システムの切り替えを指示する。例えば、無線端末３０が、ＬＴＥ、ＬＴＥ−Ａｄｖａｎｃｅｄ、ＵＭＴＳ、ＧＳＭ（登録商標）、Ｗｉ−Ｆｉ（登録商標）、無線ＬＡＮ、ＷｉＭＡＸ、ＣＤＭＡ２０００（登録商標）、ＨＳＰＡなどの無線システム（ＲＡＴ）のうち、二つ以上の無線システムをサポートしている場合に、無線端末３０が利用すべき無線システムを指示する。ここで、無線端末３０に指示する無線システムは、アプリケーション毎（つまりサービス毎）でもよいし、ＩＰフロー毎（例えば、ＴＣＰコネクションを複数経路としたＭｕｌｔｉ−Ｐａｔｈ（ＭＰ）ＴＣＰのＴＣＰコネクション毎）でもよいし、無線端末毎（つまり、当該無線端末３０のすべての通信）でもよい。なお、無線端末３０に利用すべき無線システムを指示することを「トラフィック・ステアリング」ともよぶ。
【０１７９】
無線システムの切り替えの指示の具体例として、無線端末３０がＬＴＥとＵＭＴＳをサポートする場合、無線基地局２０の無線システム切り替え指示部２０３は、ＬＴＥ（又はＵＭＴＳ）を利用中の無線端末３０に対してＵＭＴＳ（又はＬＴＥ）へ異種無線システム間ハンドオーバ（Inter-RAT Handover）をさせる指示を行ってもよい。或いは、別の具体例として、無線端末３０がＬＴＥと無線ＬＡＮをサポートする場合、無線基地局２０の無線システム切り替え指示部２０３は、ＬＴＥを利用中の無線端末３０に対して無線ＬＡＮへのトラフィック・ステアリングの指示を行ってもよい。なお、当該トラフィック・ステアリングは、３ＧＰＰ（例えば3GPP TS 24.312, Access Network Discovery and Selection Function (ANDSF) Management Object (MO)）で標準仕様が規定されているＡＮＤＳＦ（Access Network Discovery and Selection Function）を利用してもよい。
【０１８０】
また、無線基地局２０の無線システム切り替え指示部２０３は、無線端末３０に対して、モバイルオペレータが異なるモバイルネットワークへの切り替えを指示しても良い。例えば、モバイルオペレータＡが管理するモバイルネットワークＡと、モバイルオペレータＢが管理するモバイルネットワークＢとが存在する環境において、無線端末３０がモバイルネットワークＡに接続しているときに、無線基地局２０の無線システム切り替え指示部２０３は、モバイルネットワークＡからモバイルネットワークＢへの切り替えを指示しても良い。さらに、モバイルネットワークＢの代わりに、モバイルオペレータＡ及びモバイルオペレータＢの両方が共有するモバイルネットワークＣ（Network Sharing）への切り替えを指示してもよい。
【０１８１】
また、無線基地局２０の無線システム切り替え指示部２０３は、無線システムを広義でとらえ、無線システムは同一であるが、周波数帯が異なるセルへの切り替えを指示しても良い。さらに、無線基地局２０の無線システム切り替え指示部２０３は、無線システムは同一であるが、異なる無線基地局が管理する周波数が異なる無線セルへの切り替えを指示してもよい。具体的には、３ＧＰＰで標準仕様が規定されているデュアルコネクティビティ（Dual Connectivity：ＤＣ)を利用してもよい（デュアルコネクティビティ（ＤＣ）については、例えば3GPP TR 36.842 V12.0.0 (2013-12)の"8.1 Architecture and protocol enhancements for Dual connectivity"などが参照される）。例えば、デュアルコネクティビティ（ＤＣ）において、無線システム切り替え指示部２０３は、無線端末との無線接続（RRC（Radio Resource Control） Connection）を管理する主無線基地局（Master eNB：ＭｅＮＢ）が管理する無線セルと、サブ無線基地局（Secondary eNB：ＳｅＮＢ）が管理する無線セルとの間で、無線端末に利用させる無線セルを切り替えるようにしてもよい。特に、無線システム切り替え指示部２０３は、
・主無線基地局（ＭｅＮＢ）が管理する無線セル群であるマスタセルグループ（Master Cell Group： ＭＣＧ）のみを使用する無線ベアラ（MCG Bearer）、
・サブ無線基地局（ＳｅＮＢ）が管理する無線セル群であるセカンダリセルグループ（Secondary Cell Group: ＳＣＧ）のみを使用する無線ベアラ（SCG Bearer）、及び、
・マスタセルグループ（ＭＣＧ）とセカンダリセルグループ（ＳＣＧ）の両方を使用する無線ベアラ（Split Bearer）、
を切り替えるようにしてもよい。なお、デュアルコネクティビティ（ＤＣ）の場合、無線システム切り替え指示部２０３が主無線基地局（ＭｅＮＢ）にあることが好ましいが、サブ無線基地局（ＳｅＮＢ）にあってもよい。
【０１８２】
［動作の説明］
本実施の形態に係る無線リソース制御システム１による無線リソース制御処理の具体例について、図９のフローチャートを参照して説明する。図９において、ステップＳ１００からステップＳ１０３までの処理、及び、ステップＳ２００の処理は、図５を参照して説明した前記第２の実施の形態、または図７を参照して説明した前記第３の実施の形態と同じである。本実施形態では、図７のステップ２０１がステップＳ３００で置き換えられている。
【０１８３】
図９を参照すると、ステップＳ３００では、無線基地局２０の無線システム切り替え指示部２０３は、無線端末３０に対して、無線システムの切り替えを指示する。
【０１８４】
例えば、中継装置４０では、コンテンツ送信装置１０と無線端末３０との間の通信に関わる通信品質を評価し、該通信品質が当該通信の通信種別によって規定される要求品質を満たすか否かを評価して制御情報を生成し、該制御情報を無線基地局２０に通知する。
【０１８５】
そして、該制御情報を受け取った無線基地局２０では、該通信品質の要求品質からの劣化の度合が予め定められた所定量以上の場合に、無線システム切り替え指示部２０３は、当該無線端末３０に対して、無線システムの切り替えを指示する。なお、無線システム切り替え指示部２０３は、無線システムを切り替える代わりに、新たに無線システムを追加しても良い。また、無線システム切り替え指示部２０３は、当該無線端末３０に対する無線システムの切替先として、複数の無線システムを選択し、切り替えても良い。
【０１８６】
ＬＴＥやＨＳＰＡなどの複数の無線システムの選択は、Ｍｕｌｔｉ−ＲＡＴ（Radio Access Technology）を用いた技術に適用することができる。例えば、ＭＲＣＡ（Multi-RAT Carrier Aggregation）などである。なお、キャリアアグリゲーション（Carrier Aggregation：ＣＡ）は、帯域幅が例えば最大2０ＭＨｚ（MegaHerz）のＬＴＥ用の周波数ブロック（コンポーネントキャリア)を基本単位として複数束ねることで広帯域化を図る。ＭＲＣＡでは、複数のＲＡＴ（無線アクセス技術）の周波数ブロックを束ねて用いる。
【０１８７】
無線基地局２０は、中継装置４０から通知される制御情報を用いて、無線端末３０に対して無線システムの切り替えを指示するか否かを判定しても良い。あるいは、無線端末３０に対して無線システムの切り替えを指示するか否かを示す情報や、どの無線システムを使用するかといった情報を中継装置４０が通知する制御情報の一部に含めても良い。
【０１８８】
無線基地局２０は、無線端末３０に対して、他の無線システムの測定や、Ｉｎｔｅｒ−ＲＡＴ（Radio Access Technology）の測定を指示することも可能である。無線基地局２０は、無線端末３０から報告された測定結果（Measurement Report）をもとに、無線端末３０が利用すべき無線システムを判定するようにしてもよい。
【０１８９】
例えば、無線端末３０は、自身が検出可能な他の無線システムの無線基地局やＡＰ（Access Point）の無線品質やトラフィック負荷を測定するか、あるいは何らかの手法で取得し、無線基地局２０へと報告する。そして、無線基地局２０は、無線品質が良好な無線システムやトラフィック負荷が低い無線システムを選択して、無線端末３０に対して、無線システムの切り替えを指示する。なお、ここでの無線品質とは、モバイルアクセスネットワーク区間（無線区間）で測定される受信電力や希望波対干渉波電力比である。例えば、ＲＳＣＰ（Received Signal Code Power）、ＲＳＲＰ（Reference Signal Received Power）、ＲＳＳＩ（Received Signal Strength Indicator）、ＳＩＮＲ（Signal to Interference plus Noise Ratio）、ＳＩＲ（Signal to Interference Ratio）、Ｅｃ／Ｎｏ（received Energy per Chip（RSCP）/power density in the band（RSSI））、ＲＳＲＱ（Reference Signal Received Quality）などである。なお、ここでの無線品質には、モバイルアクセスネットワーク区間（無線区間）で測定される伝搬損失も含まれる。また、ここでのトラフィック負荷は、例えば無線ＬＡＮのアクセスポイント（ＡＰ）から送信される基本サービスセット（Basic Service Set: ＢＳＳ）負荷（Load）であってもよい。
【０１９０】
上述したように、本実施の形態に係る無線リソース制御システム１は、通信種別毎の要求品質をエンドツーエンドで満足するように、無線基地局２０の無線システム切り替え指示部２０３によって、無線端末３０に対して無線システムの切り替えを指示することができる。
【０１９１】
上記したように、各実施形態及び実施例によれば、「コンテンツ送信装置と無線端末との間の通信に関わる通信品質」は、その評価の対象となる通信経路に、コンテンツ送信装置と無線端末とを結ぶエンドツーエンドの通信経路のうち、無線基地局と無線端末との間のモバイルアクセスネットワーク区間（無線区間）とは異なる区間（すなわち、無線基地局とコンテンツ送信装置との間の通信経路）の少なくとも一部が含まれる。
【０１９２】
なお、上記の特許文献１−３、非特許文献１、２の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素などを含む）の多様な組み合わせ乃至選択が可能である。すなわち、本発明は、請求の範囲を含む全開示、技術的思想にしたがって当業者であればなし得るであろう各種変形、修正を含むことは勿論である。
【０１９３】
上記した実施形態は、以下のように付記される（ただし、以下に限定されるものでない）。
【０１９４】
（付記１）
コンテンツ送信装置と、
無線端末と、
前記コンテンツ送信装置から送信されたデータを受信して前記無線端末へと無線伝送する無線基地局と、
前記コンテンツ送信装置と前記無線基地局との間の通信経路上に設置された中継装置と、
を含み、
前記中継装置は、
前記コンテンツ送信装置と前記無線端末との間の通信に関わる通信品質を評価する通信品質評価部と、
前記通信品質をもとに、前記無線端末に対する無線リソースの割り当てを制御するための制御情報を生成する制御情報生成部と、
を備え、
前記無線基地局は、
前記制御情報に基づいて、前記無線端末に対する無線リソースの割り当てを制御する無線リソース制御部を備える、ことを特徴とする無線リソース制御システム。
【０１９５】
（付記２）
前記中継装置又は前記無線基地局は、
前記コンテンツ送信装置と前記無線端末との間でなされる通信の種別を特定する通信種別特定部をさらに備え、
前記無線リソース制御部は、
前記通信の種別に応じた基準で前記通信品質を評価した結果に基づき、前記無線端末に対する無線リソースの割り当てを制御する、ことを特徴とする付記１記載の無線リソース制御システム。
【０１９６】
（付記３）
前記無線リソース制御部は、
前記通信の種別によって定まる要求品質と前記通信品質との、前記中継装置の前記制御信号生成部又は前記無線リソース制御部での、比較の結果に応じて、前記無線基地局が有する無線リソースの割り当てを制御する、ことを特徴とする付記２記載の無線リソース制御システム。
【０１９７】
（付記４）
前記無線基地局は、
前記通信の種別によって定まる要求品質と前記通信品質との、前記中継装置の前記制御信号生成部又は前記無線リソース制御部での、比較の結果に応じて、前記無線基地局が管理する無線セルのカバレッジを制御するカバレッジ制御部を備えている、ことを特徴とする付記２に記載の無線リソース制御システム。
【０１９８】
（付記５）
前記無線基地局は、
前記通信の種別によって定まる要求品質と前記通信品質との、前記中継装置の前記制御信号生成部又は前記無線リソース制御部での、比較の結果に応じて、前記無線端末に対して、前記無線端末が使用する無線システムの切り替えを指示する無線システム切り替え指示部を備えている、ことを特徴とする付記２に記載の無線リソース制御システム。
【０１９９】
（付記６）
前記通信品質評価部は、
前記通信品質を、
前記中継装置と前記無線端末との間の第一の通信品質と、
前記コンテンツ送信装置と前記中継装置の間の第二の通信品質と、
前記無線基地局と前記コンテンツ送信装置との間の通信経路の一部を少なくとも含む通信経路の通信品質と、
の少なくともいずれかを用いて、評価する、ことを特徴とする付記１から５のいずれか一に記載の無線リソース制御システム。
【０２００】
（付記７）
前記通信品質評価部は、
前記通信品質を、
前記第一の通信品質及び前記第二の通信品質の両方を用いて、前記コンテンツ送信装置と前記無線端末との間の第三の通信品質を算出して評価する、ことを特徴とする付記６に記載の無線リソース制御システム。
【０２０１】
（付記８）
前記無線リソース制御部は、
前記制御情報を用いて、前記無線基地局と前記無線端末との間の第四の通信品質の目標値を更新する、ことを特徴とする付記１から７のいずれか一に記載の無線リソース制御システム。
【０２０２】
（付記９）
前記制御情報は、
前記通信品質を示す情報、
前記通信の種別によって定まる要求品質と前記通信品質との比較の結果を示す情報、
前記第四の通信品質の目標値を示す情報、
前記無線端末やベアラの識別子を示す情報、
前記無線リソースの割り当て優先度を示す情報、
前記無線基地局が管理する無線セルのカバレッジ変更を指示する情報、
無線システムの切り替えを前記無線端末に対して指示する情報、
の少なくともいずれかを含む、ことを特徴とする付記８に記載の無線リソース制御システム。
【０２０３】
（付記１０）
無線基地局を介して無線端末にコンテンツを送信するコンテンツ送信装置と、前記無線基地局との間の通信経路上に設置される中継装置であって、
前記コンテンツ送信装置と前記無線端末との間の通信に関わる通信品質を評価する通信品質評価部と、
前記通信品質をもとに、前記無線基地局における前記無線端末に対する無線リソースの割り当てを制御するための制御情報を生成する制御情報生成部と、
前記制御情報を前記無線基地局に通知する通信部と、
を備えたことを特徴とする中継装置。
【０２０４】
（付記１１）
前記コンテンツ送信装置と前記無線端末との間でなされる通信の種別を特定する通信種別特定部をさらに備えた、ことを特徴とする付記１０に記載の中継装置。
【０２０５】
（付記１２）
前記通信品質評価部は、
前記通信品質を、
前記中継装置と前記無線端末との間の第一の通信品質と、
前記コンテンツ送信装置と前記中継装置の間の第二の通信品質と、
前記無線基地局と前記コンテンツ送信装置との間の通信経路の一部を少なくとも含む通信経路の通信品質と、
の少なくともいずれかを用いて、評価する、ことを特徴とする付記１０又は１１に記載の中継装置。
【０２０６】
（付記１３）
前記通信品質評価部は、
前記通信品質を、
前記第一の通信品質及び前記第二の通信品質の両方を用いて、前記コンテンツ送信装置と前記無線端末との間の第三の通信品質を算出して評価する、ことを特徴とする付記１２に記載の中継装置。
【０２０７】
（付記１４）
前記制御情報は、
前記通信品質を示す情報、
前記通信の種別によって定まる要求品質と前記通信品質との比較の結果を示す情報、
前記無線基地局と前記無線端末との間の第四の通信品質の目標値を示す情報、
前記無線端末やベアラの識別子を示す情報、
前記無線リソースの割り当て優先度を示す情報、
前記無線基地局が管理する無線セルのカバレッジ変更を指示する情報、
無線システムの切り替えを前記無線端末に対して指示する情報、
の少なくともいずれかを含む、ことを特徴とする付記１０に記載の中継装置。
【０２０８】
（付記１５）
コンテンツ送信装置と無線端末との間の通信に関わる通信品質の評価結果に基づく制御情報を受け、前記制御情報に基づいて、前記無線端末に対する無線リソースの割り当てを制御する無線リソース制御部を備える、ことを特徴とする無線基地局。
【０２０９】
（付記１６）
前記無線リソース制御部は、
前記コンテンツ送信装置と前記無線端末との間でなされる通信の種別に応じた基準で前記通信品質を評価した結果に基づき、前記無線端末に対する無線リソースの割り当てを制御する、ことを特徴とする付記１５に記載の無線基地局。
【０２１０】
（付記１７）
前記無線リソース制御部は、
前記通信の種別によって定まる要求品質と前記通信品質との比較の結果に応じて、前記無線基地局が有する無線リソースの割り当てを制御する、ことを特徴とする付記１６に記載の無線基地局。
【０２１１】
（付記１８）
前記通信の種別によって定まる要求品質と前記通信品質との比較の結果に応じて、前記無線基地局が管理する無線セルのカバレッジを制御するカバレッジ制御部を備えている、ことを特徴とする付記１６に記載の無線基地局。
【０２１２】
（付記１９）
前記通信の種別によって定まる要求品質と前記通信品質との比較の結果に応じて、前記無線端末に対して、前記無線端末が使用する無線システムの切り替えを指示する無線システム切り替え指示部を備えている、ことを特徴とする付記１６に記載の無線基地局。
【０２１３】
（付記２０）
前記無線リソース制御部は、
前記制御情報を用いて、前記無線基地局と前記無線端末との間の第四の通信品質の目標値を更新する、ことを特徴とする付記１５から１９のいずれか一に記載の無線基地局。
【０２１４】
（付記２１）
前記制御情報は、
前記通信品質を示す情報、
前記通信の種別によって定まる要求品質と前記通信品質との比較の結果を示す情報、
前記第四の通信品質の目標値を示す情報、
前記無線端末やベアラの識別子を示す情報、
前記無線リソースの割り当て優先度を示す情報、
前記無線基地局が管理する無線セルのカバレッジ変更を指示する情報、
無線システムの切り替えを前記無線端末に対して指示する情報、
の少なくともいずれかを含む、ことを特徴とする付記２０に記載の無線基地局。
【０２１５】
（付記２２）
コンテンツ送信装置と無線基地局との間の通信経路上に設置された中継装置が、前記コンテンツ送信装置と無線端末との間の通信に関わる通信品質を評価し、
前記通信品質をもとに、前記無線端末に対する無線リソースの割り当てを制御するための制御情報を生成し、
前記無線基地局が、前記制御情報に基づいて、前記無線端末に対する無線リソースの割り当てを制御する、ことを特徴とする無線リソース制御方法。
【０２１６】
（付記２３）
前記中継装置又は前記無線基地局は、前記コンテンツ送信装置と前記無線端末との間でなされる通信の種別を特定し、
前記無線基地局は、前記通信の種別に応じた基準で前記通信品質を評価した結果に基づき、前記無線端末に対する無線リソースの割り当てを制御する、ことを特徴とする付記２２記載の無線リソース制御方法。
【０２１７】
（付記２４）
前記無線基地局は、前記通信の種別によって定まる要求品質と前記通信品質との、前記中継装置又は前記無線基地局での、比較の結果に応じて、前記無線基地局が有する無線リソースの割り当てを制御する、ことを特徴とする付記２３記載の無線リソース制御方法。
【０２１８】
（付記２５）
前記無線基地局は、前記通信の種別によって定まる要求品質と前記通信品質との、前記中継装置又は前記無線基地局での、比較の結果に応じて、前記無線基地局が管理する無線セルのカバレッジを制御する、ことを特徴とする付記２３に記載の無線リソース制御方法。
【０２１９】
（付記２６）
前記無線基地局は、前記通信の種別によって定まる要求品質と前記通信品質との、前記中継装置又は前記無線基地局での、比較の結果に応じて、前記無線端末に対して、前記無線端末が使用する無線システムの切り替えを指示する、ことを特徴とする付記２３に記載の無線リソース制御方法。
【０２２０】
（付記２７）
前記中継装置は、前記通信品質を、
前記中継装置と前記無線端末との間の第一の通信品質と、
前記コンテンツ送信装置と前記中継装置の間の第二の通信品質と、
前記無線基地局と前記コンテンツ送信装置との間の通信経路の一部を少なくとも含む通信経路の通信品質と、
の少なくともいずれかを用いて、評価する、ことを特徴とする付記２２から２６のいずれか一に記載の無線リソース制御方法。
【０２２１】
（付記２８）
前記中継装置は、前記通信品質を、
前記第一の通信品質及び前記第二の通信品質の両方を用いて、前記コンテンツ送信装置と前記無線端末との間の第三の通信品質を算出して評価する、ことを特徴とする付記２７に記載の無線リソース制御方法。
【０２２２】
（付記２９）
前記無線基地局は、前記制御情報を用いて、前記無線基地局と前記無線端末との間の第四の通信品質の目標値を更新する、ことを特徴とする付記２２から２８のいずれか一に記載の無線リソース制御方法。
【０２２３】
（付記３０）
前記制御情報は、
前記通信品質を示す情報、
前記通信の種別によって定まる要求品質と前記通信品質との比較の結果を示す情報、
前記第四の通信品質の目標値を示す情報、
前記無線端末やベアラの識別子を示す情報、
前記無線リソースの割り当て優先度を示す情報、
前記無線基地局が管理する無線セルのカバレッジ変更を指示する情報、
無線システムの切り替えを前記無線端末に対して指示する情報、
の少なくともいずれかを含む、ことを特徴とする付記２９に記載の無線リソース制御方法。
【０２２４】
（付記３１）
無線基地局を介して無線端末にコンテンツを送信するコンテンツ送信装置と無線基地局との間の通信経路上に設置される中継装置を構成するコンピュータに、
前記コンテンツ送信装置と前記無線端末との間の通信に関わる通信品質を評価する通信品質評価処理と、
前記通信品質をもとに、前記無線基地局における前記無線端末に対する無線リソースの割り当てを制御するための制御情報を生成する制御情報生成処理と、
を実行させるプログラム。
【０２２５】
（付記３２）
前記コンテンツ送信装置と前記無線端末との間でなされる通信の種別を特定する通信種別特定処理を前記コンピュータにさらに実行させる付記３１記載のプログラム。
【０２２６】
（付記３３）
前記通信品質評価処理は、
前記通信品質を、
前記中継装置と前記無線端末との間の第一の通信品質と、
前記コンテンツ送信装置と前記中継装置の間の第二の通信品質と、
前記無線基地局と前記コンテンツ送信装置との間の通信経路の一部を少なくとも含む通信経路の通信品質と、
の少なくともいずれかを用いて、評価する、ことを特徴とする付記３１又は３２に記載のプログラム。
【０２２７】
（付記３４）
前記通信品質評価処理は、
前記通信品質を、
前記第一の通信品質及び前記第二の通信品質の両方を用いて、前記コンテンツ送信装置と前記無線端末との間の第三の通信品質を算出して評価する、ことを特徴とする付記３３に記載のプログラム。
【０２２８】
（付記３５）
前記制御情報は、
前記通信品質を示す情報、
前記通信の種別によって定まる要求品質と前記通信品質との比較の結果を示す情報、
前記無線基地局と前記無線端末との間の第四の通信品質の目標値を示す情報、
前記無線端末やベアラの識別子を示す情報、
前記無線リソースの割り当て優先度を示す情報、
前記無線基地局が管理する無線セルのカバレッジ変更を指示する情報、
無線システムの切り替えを前記無線端末に対して指示する情報、
の少なくともいずれかを含む、ことを特徴とする付記３１に記載のプログラム。
【０２２９】
（付記３６）
無線基地局を構成するコンピュータに、
前記無線基地局を介して無線端末にコンテンツを送信するコンテンツ送信装置と前記無線端末との間の通信に関わる通信品質の評価結果に基づく制御情報を受け、前記制御情報に基づいて、前記無線端末に対する無線リソースの割り当てを制御する無線リソース制御処理を実行させる、プログラム。
【０２３０】
（付記３７）
前記無線リソース制御処理は、
前記コンテンツ送信装置と前記無線端末との間でなされる通信の種別に応じた基準で前記通信品質を評価した結果に基づき、前記無線端末に対する無線リソースの割り当てを制御する、付記３６記載のプログラム。
【０２３１】
（付記３８）
前記無線リソース制御処理は、
前記通信の種別によって定まる要求品質と前記通信品質との比較の結果に応じて、前記無線基地局が有する無線リソースの割り当てを制御する、付記３７記載のプログラム。
【０２３２】
（付記３９）
前記通信の種別によって定まる要求品質と前記通信品質との比較の結果に応じて、前記無線基地局が管理する無線セルのカバレッジを制御するカバレッジ制御処理を、前記コンピュータに実行させる付記３７に記載のプログラム。
【０２３３】
（付記４０）
前記通信の種別によって定まる要求品質と前記通信品質との比較の結果に応じて、前記無線端末に対して、前記無線端末が使用する無線システムの切り替えを指示する無線システム切り替え指示処理を前記コンピュータに実行させる付記３７に記載のプログラム。
【０２３４】
（付記４１）
前記無線リソース制御処理は、
前記制御情報を用いて、前記無線基地局と前記無線端末との間の第四の通信品質の目標値を更新する、ことを特徴とする付記３６から４０のいずれか一に記載のプログラム。
【０２３５】
（付記４２）
前記制御情報は、
前記通信品質を示す情報、
前記通信の種別によって定まる要求品質と前記通信品質との比較の結果を示す情報、
前記第四の通信品質の目標値を示す情報、
前記無線端末やベアラの識別子を示す情報、
前記無線リソースの割り当て優先度を示す情報、
前記無線基地局が管理する無線セルのカバレッジ変更を指示する情報、
無線システムの切り替えを前記無線端末に対して指示する情報、
の少なくともいずれかを含む、ことを特徴とする付記４１に記載のプログラム。
【符号の説明】
【０２３６】
１  無線リソース制御システム
１０  コンテンツ送信装置
２０  無線基地局
３０  無線端末
４０  中継装置
２００  通信部
２０１  無線リソース制御部
２０２  カバレッジ制御部
２０３  無線システム切り替え指示部
４００  通信部
４０１  通信種別特定部
４０２  通信品質評価部
４０３  制御情報生成部
【図１】
2016093166.tif 000003
【図２】
2016093166.tif 000004
【図３】
2016093166.tif 000005
【図４】
2016093166.tif 000006
【図５】
2016093166.tif 000007
【図６】
2016093166.tif 000008
【図７】
2016093166.tif 000009
【図８】
2016093166.tif 000010
【図９】
2016093166.tif 000011
【国際調査報告】
2016093166.tif 000012
2016093166.tif 000013